(57)【要約】【課題】無駄な通信をさせずにサービスを提供することができる写真シール作成装置を提供する。【解決手段】写真シール作成装置は、サーバのメンテナンス情報を取得し、サーバ停止中においては、送信設定を無効のまま維持する（Ｓ７１でＹＥＳ）。サーバ停止中でなければ、送信テストを行ない、その結果に基づき送信設定の有効／無効を判断する（Ｓ７２〜８４）。また、送信テストにおいては、写真の送信と同程度のデータの送信が行なわれる。また、送信テストにおいて写真シール作成装置の履歴情報のサーバへの送信（Ｓ７４）や、サーバ情報の取得（Ｓ８５）が行なわれる。【選択図】図８
2014017016.tif 000002
【特許請求の範囲】
【請求項１】
写真画像を生成する生成手段と、
前記生成手段で生成した写真画像をサーバへ送信する送信手段と、
前記サーバのサーバ情報を取得する取得手段と、
携帯端末装置での、前記サーバを用いた写真画像閲覧に関する機能を提供する提供手段と、
印刷手段とを備え、
前記取得手段で取得したサーバ情報に基づき、前記提供手段による前記機能の提供を停止させることを特徴とする、写真シール作成装置。
【請求項２】
前記サーバとの通信状態を確認するため、前記サーバとの間で通信テストを行なう通信テスト手段をさらに備え、
前記取得手段は、前記通信テストにおいてサーバ情報を受信する、請求項１に記載の写真シール作成装置。
【請求項３】
前記通信テスト手段による通信テストを、装置が起動された後、待機画面が表示されるまでの期間に実行する、請求項２に記載の写真シール作成装置。
【請求項４】
前記提供手段で前記機能が提供されていない場合において、所定の条件で前記通信テスト手段による通信状態の確認を行ない、通信状態が良好な場合に、前記機能の提供を開始させる、請求項２または３のいずれか記載の写真シール作成装置。
【請求項５】
前記通信テスト手段による通信テストを、前記送信手段における写真画像の送信と、同程度の回数または同程度の送信データサイズにより実行する、請求項２〜４のいずれかに記載の写真シール作成装置。
【請求項６】
前記送信手段は、写真シール作成装置の履歴情報を前記サーバへ送信する、請求項１〜５のいずれかに記載の写真シール作成装置。
【請求項７】
前記提供手段で前記機能が提供されている場合において、前記送信手段による送信が正常でない場合に、前記機能の提供を停止させる、請求項１〜６のいずれかに記載の写真シール作成装置。
【請求項８】
前記印刷手段は、日時の情報をシールに印刷し、
前記送信手段は、前記日時の情報を前記サーバへ送信する、請求項１〜７のいずれかに記載の写真シール作成装置。
【請求項９】
前記送信手段で送信を行なう場合に、前記印刷手段は、写真画像の閲覧に必要な情報をシールに印刷する、請求項１〜８のいずれかに記載の写真シール作成装置。
【請求項１０】
請求項８に記載の写真シール作成装置から、写真画像と、日時の情報とを受信する受信手段と、
前記写真画像と前記日時の情報とを保存する保存手段と、
携帯端末での写真画像の閲覧時に、前記日時情報を表示する表示手段とを備えた、写真提供サーバ。
【請求項１１】
請求項１〜９のいずれかに記載の写真シール作成装置から、写真画像と、写真シール作成装置の機種情報とを受信する受信手段と、
前記写真画像を保存する保存手段と、 
前記写真シール作成装置の機種を区別可能なＩＤを発行し、前記写真シール作成装置に送信する送信手段とを備えた、写真提供サーバ。
【請求項１２】
写真画像を生成する生成ステップと、
前記生成ステップで生成した写真画像をサーバへ送信する送信ステップと、
前記サーバのサーバ情報を取得する取得ステップと、
携帯端末装置での、前記サーバを用いた写真画像閲覧に関する機能を提供する提供ステップとを備え、
前記取得ステップで取得したサーバ情報に基づき、前記提供ステップによる前記機能の提供を停止させることを特徴とする、写真シール作成装置の制御方法。
【請求項１３】
写真画像を生成する生成ステップと、
前記生成ステップで生成した写真画像をサーバへ送信する送信ステップと、
前記サーバのサーバ情報を取得する取得ステップと、
携帯端末装置での、前記サーバを用いた写真画像閲覧に関する機能を提供する提供ステップとをコンピュータに実行させ、
前記取得ステップで取得したサーバ情報に基づき、前記提供ステップによる前記機能の提供を停止させることを特徴とする、写真シール作成装置の制御プログラム。
【請求項１４】
写真画像を生成する生成手段と、
前記生成手段で生成した写真画像をサーバへ送信する送信手段と、
外部装置から設定情報を取得する取得手段と、
印刷手段とを備え、
前記取得手段で取得した設定情報に基づき、装置の設定を行なうことを特徴とする、写真シール作成装置。
【請求項１５】
写真シール作成装置ごとに付与された識別番号を有し、
前記取得手段は、前記付与された識別情報に合致する設定情報を取得する、請求項１４に記載の写真シール作成装置。
【請求項１６】
写真画像を生成する生成手段と、
前記生成手段で生成した写真画像をサーバへ送信する送信手段と、
ユーザから設定情報を取得する取得手段と、
印刷手段とを備え、
前記取得手段で取得した設定情報に基づき、装置の設定を行なうことを特徴とする、写真シール作成装置。
【請求項１７】
前記設定情報は、前記送信手段による写真送信の設定に関する情報である、請求項１４〜１６のいずれかに記載の写真シール作成装置。
【請求項１８】
前記設定情報は、サーバへ送信する写真の種類に関する情報、ユーザが選択する写真の枚数に関する情報、サーバへ送信する写真の画像サイズに関する情報、およびサーバへ送信する写真の最大枚数に関する情報の少なくとも１つである、請求項１４〜１７のいずれかに記載の写真シール作成装置。
【発明の詳細な説明】
【技術分野】
【０００１】
この発明は写真シール作成装置、写真シール作成装置の制御方法、および写真シール作成装置の制御プログラムに関し、特にサーバと通信を行なうことができる写真シール作成装置、写真シール作成装置の制御方法、および写真シール作成装置の制御プログラムに関する。
【背景技術】
【０００２】
ゲームセンターなどに設置され、装置利用者の写真を撮影し、その画像に対して利用者が画像の編集（落書き）を行なった後に、それをシールなどのプリント物として提供する写真シール作成装置が知られている。また、写真シール作成装置において、利用者の所持する携帯電話、ＰＤＡ等の携帯端末で閲覧できるように写真画像を提供することが行なわれている。
【０００３】
具体的には、写真シール作成装置にＰＨＳユニットなどによって実現される送信機能を備えさせ、撮影および編集された写真を外部のサーバへ送信させる。閲覧用のＵＲＬとＩＤをシールに印刷することで、ユーザは上記携帯端末から上記閲覧用のＵＲＬにアクセスし、ＩＤを入力してサーバへ記憶されている写真を閲覧する。
【０００４】
ＩＤの入力の手間を省くために、ユーザの指定するメールアドレスに閲覧用のＵＲＬを含むメールを送信し、送信されたＵＲＬにアクセスすることによりサーバへ記憶されている写真を閲覧する方法もある。
【０００５】
一般に、写真シール作成装置では、複数枚の写真を作成するため、これら複数枚の写真をディスプレイに表示し、利用者から好みの写真の選択を受付けることが行なわれている。また、ＷＥＢサイト会員を獲得するためなどの目的で、選択した写真以外の写真も合わせてサーバへ送信し、会員には、選択した写真以外の写真も閲覧させるサービスを提供することが行なわれている。
【０００６】
なお画像を携帯端末に配信する技術に関して、下記特許文献１には、画像合成装置で撮影され、合成出力された画像を通信回線を介して任意の携帯電話機、ＰＨＳ、ＰＤＡ等に送信して表示可能にする技術が開示されている。
【０００７】
また、下記特許文献２には、複数のユーザからなるグループにより画像印刷装置が利用されている場合、それぞれのユーザにより選択された画像を、それぞれのユーザにより入力されたメールアドレスにより指定される携帯電話機に配信することができる画像印刷装置が開示されている。
【先行技術文献】
【特許文献】
【０００８】
【特許文献１】特開２００１−２４５２９０号公報
【特許文献２】特開２００３−３３３５７３号公報
【発明の概要】
【発明が解決しようとする課題】
【０００９】
写真シール作成装置からサーバへの写真の送信は、送信が正常に完了するまで、所定の回数（リトライ回数）繰返し行なわれることがある。しかし、リトライ回数も無限ではなく、その所定の回数分繰り返しても送信が完了しない場合は、いずれは、写真の送信を中止せざるを得ない。
【００１０】
常時、店舗の電波状態が悪い場合や、故障やメンテナンス等でサーバが稼動を停止している場合に、これらの状況を考慮せず、写真シール作成装置が送信を繰り返しても、通信時間、費用の無駄であり、また通信処理による装置の負荷が高まり、利用者のプレイに悪影響を及ぼすこともある。
【００１１】
特に、このような送信ができない状態で、利用者に、携帯端末での写真の閲覧のための、写真選択やメールアドレスの入力などの操作を行なわせると、わざわざ入力操作したにもかかわらず写真が送られてこないという不満を利用者は抱くこととなり、また、入力操作のプレイ時間が無駄に終わってしまうこととなる。
【００１２】
そこで本発明では、無駄な通信をさせずにサービスを提供することができる写真シール作成装置、写真シール作成装置の制御方法、および写真シール作成装置の制御プログラムを提供することを目的としている。
【００１３】
また、本発明では、装置の設定を容易に行なうことができる写真シール作成装置を提供することを目的としている。
【課題を解決するための手段】
【００１４】
上記目的を達成するためこの発明のある局面に従うと、写真シール作成装置は、写真画像を生成する生成手段と、生成手段で生成した写真画像をサーバへ送信する送信手段と、サーバのサーバ情報を取得する取得手段と、携帯端末装置での、サーバを用いた写真画像閲覧に関する機能を提供する提供手段と、印刷手段とを備え、取得手段で取得したサーバ情報に基づき、提供手段による機能の提供を停止させることを特徴とする。
【００１５】
好ましくは写真シール作成装置は、サーバとの通信状態を確認するため、サーバとの間で通信テストを行なう通信テスト手段をさらに備え、取得手段は、通信テストにおいてサーバ情報を受信する。
【００１６】
好ましくは写真シール作成装置は、通信テスト手段による通信テストを、装置が起動された後、待機画面が表示されるまでの期間に実行する。
【００１７】
好ましくは写真シール作成装置は、提供手段で機能が提供されていない場合において、所定の条件で通信テスト手段による通信状態の確認を行ない、通信状態が良好な場合に、機能の提供を開始させる。
【００１８】
好ましくは写真シール作成装置は、通信テスト手段による通信テストを、送信手段における写真画像の送信と、同程度の回数または同程度の送信データサイズにより実行する。
【００１９】
好ましくは送信手段は、写真シール作成装置の履歴情報をサーバへ送信する。
好ましくは写真シール作成装置は、提供手段で機能が提供されている場合において、送信手段による送信が正常でない場合に、機能の提供を停止させる。
【００２０】
好ましくは印刷手段は、日時の情報をシールに印刷する印刷手段をさらに備え、送信手段は、日時の情報をサーバへ送信する。
【００２１】
好ましくは写真シール作成装置は、送信手段で送信を行なう場合に、印刷手段は、写真画像の閲覧に必要な情報をシールに印刷する。
【００２２】
この発明の他の局面に従うと写真提供サーバは、写真シール作成装置から、写真画像と、日時の情報とを受信する受信手段と、写真画像と日時の情報とを保存する保存手段と、携帯端末での写真画像の閲覧時に、日時情報を表示する表示手段とを備える。
【００２３】
この発明のさらに他の局面に従うと写真提供サーバは、写真シール作成装置から、写真画像と、写真シール作成装置の機種情報とを受信する受信手段と、写真画像を保存する保存手段と、写真シール作成装置の機種を区別可能なＩＤを発行し、写真シール作成装置に送信する送信手段とを備える。
【００２４】
この発明のさらに他の局面に従うと、写真シール作成装置の制御方法は、写真画像を生成する生成ステップと、前記生成ステップで生成した写真画像をサーバへ送信する送信ステップと、前記サーバのサーバ情報を取得する取得ステップと、携帯端末装置での、前記サーバを用いた写真画像閲覧に関する機能を提供する提供ステップとを備え、前記取得ステップで取得したサーバ情報に基づき、前記提供ステップによる前記機能の提供を停止させることを特徴とする。
【００２５】
この発明のさらに他の局面に従うと、写真シール作成装置の制御プログラムは、写真画像を生成する生成ステップと、生成ステップで生成した写真画像をサーバへ送信する送信ステップと、サーバのサーバ情報を取得する取得ステップと、携帯端末装置での、サーバを用いた写真画像閲覧に関する機能を提供する提供ステップとをコンピュータに実行させ、取得ステップで取得したサーバ情報に基づき、提供ステップによる機能の提供を停止させることを特徴とする。
【００２６】
この発明のさらに他の局面に従うと、写真シール作成装置は、写真画像を生成する生成手段と、生成手段で生成した写真画像をサーバへ送信する送信手段と、外部装置から設定情報を取得する取得手段と、印刷手段とを備え、取得手段で取得した設定情報に基づき、装置の設定を行なうことを特徴とする。
【００２７】
好ましくは写真シール作成装置は、写真シール作成装置ごとに付与された識別番号を有し、取得手段は、付与された識別情報に合致する設定情報を取得する。
【００２８】
この発明のさらに他の局面に従うと、写真シール作成装置は、写真画像を生成する生成手段と、生成手段で生成した写真画像をサーバへ送信する送信手段と、ユーザから設定情報を取得する取得手段と、印刷手段とを備え、取得手段で取得した設定情報に基づき、装置の設定を行なうことを特徴とする。
【００２９】
好ましくは設定情報は、送信手段による写真送信の設定に関する情報である。
好ましくは設定情報は、サーバへ送信する写真の種類に関する情報、ユーザが選択する写真の枚数に関する情報、サーバへ送信する写真の画像サイズに関する情報、およびサーバへ送信する写真の最大枚数に関する情報の少なくとも１つである。
【図面の簡単な説明】
【００３０】
【図１】本発明の実施の形態の１つにおける写真シール作成装置のネットワーク接続例を示す図である。
【図２】本発明の実施の形態の１つにおける写真シール作成装置の外観の具体例を示す斜視図である。
【図３】写真シール作成装置の撮影空間外に設けられる編集装置の構成を示す図である。
【図４】写真シール作成装置の機能構成の具体例を示す図である。
【図５】写真シール作成装置の撮影側の第１コンピュータ装置１００ａの動作を示すフローチャートである。
【図６】写真シール作成装置の編集側の第２コンピュータ装置１００ｂが行なう処理を示すフローチャートである。
【図７】写真シール作成装置が実行する写真送信処理を示すフローチャートである。
【図８】写真シール作成装置が行なう通信テスト処理（図５のＳ１２、Ｓ１６）の詳細を示すフローチャートである。
【図９】写真シール作成装置のＩＤ取得処理（図５のＳ１７）の詳細を示すフローチャートである。
【図１０】写真シール作成装置のサーバ情報反映処理（図８のＳ７０）の詳細を示すフローチャートである。
【図１１】写真シール作成装置に対する画像提供サーバ２０１の動作を示すフローチャートである。
【図１２】画像提供サーバ２０１の写真登録処理（図１１のＳ２０５）の詳細を示すフローチャートである。
【図１３】携帯端末装置に対する画像提供サーバ２０１の処理を示すフローチャートである。
【図１４】写真シール作成装置に蓄積される送信キューの構成を示す図である。
【図１５】図７のステップＳ５３で作成される写真情報の構成を示す図である。
【図１６】図７の写真送信処理により送信される写真データの具体例を示す図である。
【図１７】図８のステップＳ７４で送信される履歴情報の構成を示す図である。
【図１８】図８の通信テスト処理で送信される送信データの具体例を示す図である。
【図１９】図９のステップＳ９３で送信される機種情報の具体例を示す図である。
【図２０】図１１のステップＳ２０９で作成されるサーバ情報の構成を示す図である。
【図２１】画像提供サーバから写真シール作成装置に送信される情報を示す図である。
【図２２】図１１のステップＳ２１２で作成されるＩＤ情報の具体例を示す図である。
【図２３】図６のメイン写真選択処理（Ｓ３２）でタブレットディスプレイ３１に表示される画面を示す図である。
【図２４】図６の編集処理（Ｓ３３）でタブレットディスプレイ３１に表示される画面を示す図である。
【図２５】図６の印刷待機機能選択処理（Ｓ３６）でタブレットディスプレイ３１に表示される画面を示す図である。
【図２６】図６の送信写真選択処理（Ｓ４３）でタブレットディスプレイ３１に表示される画面を示す図である。
【図２７】図６のメールアドレス入力処理（Ｓ４４）でタブレットディスプレイ３１に表示される画面を示す図である。
【図２８】図１２のメール送信処理（Ｓ２２７、Ｓ２３２）で送信されるメールの本文の例を示す図である。
【図２９】図１３のアクセス画面表示処理（Ｓ２４１）でユーザの携帯端末の画面に表示されるアクセス画面を示す図である。
【図３０】図１３のメール送信処理（Ｓ２４８）で送信されるメールの本文を示す図である。
【図３１】図１３のトップ画面表示処理（Ｓ２５０）でユーザの携帯端末の画面に表示されるトップページを示す図である。
【図３２】図１３のＩＤ入力画面表示処理（Ｓ２５２）でユーザの携帯端末の画面に表示される画面を示す図である。
【図３３】図１３の写真表示処理（Ｓ２４５）でユーザの携帯端末の画面に表示されるページを示す図である。
【図３４】図１３のエラー画面表示処理（Ｓ２４６）でユーザの携帯端末の画面に表示されるエラー画面を示す図である。
【図３５】図６のステップＳ４１で作成されるＩＤを含む印刷データの具体例を示す図である。
【図３６】図６のステップＳ３８で作成されるＩＤを含まない印刷データの具体例を示す図である。
【図３７】ネットワークＮを介して接続された全ての写真シール作成装置に対して、サーバ情報を送信する状態を示す図である。
【図３８】写真シール作成装置がサーバ情報を取得し、設定情報に基づいて装置の設定を行なう処理を示すフローチャートである。
【図３９】編集済み画像の枚数と撮影画像（未編集画像）の枚数との比率情報を示す図である。
【図４０】ユーザが選択する枚数とランダムで選択される枚数との組み合わせである選択枚数情報を示す図である。
【図４１】サーバに送信できる画像のサイズを表す画像サイズ情報を示す図である。
【図４２】サーバに送信できる画像の最大枚数を表す最大送信枚数情報を示す図である。
【図４３】サーバに送信できる画像のサイズおよび最大送信枚数を表す送信画像情報を示す図である。
【図４４】送信枚数と画像のサイズを示す図である。
【図４５】ユーザに所望の画像サイズと最大送信枚数との組み合わせを選択させる画面を示す図である。
【図４６】編集済み画像と撮影画像との枚数をユーザに選択させる画面を示す図である。
【図４７】サーバから各写真シール作成装置に対して設定情報を送信する状態を示す図である。
【図４８】図８の変形例を示す図である。
【発明を実施するための形態】
【００３１】
図１は、本発明の実施の形態の１つにおける写真シール作成装置のネットワーク接続例を示す図である。
【００３２】
様々な店舗に設置される複数の写真シール作成装置（機種Ａ）１ａ〜１ｃ、および写真シール作成装置（機種Ｂ）２ａ，２ｂは、インターネットなどのネットワークＮに接続されている。写真シール作成装置１ａ〜１ｃには、撮影や画像入力（編集操作）により得られた画像データなどを記憶する記憶部と、記憶部に記憶された画像データなどを外部に送信するための送信部が備えられている。本実施の形態における送信部は、ＰＨＳカードを差込可能なＰＨＳユニットである。
【００３３】
また、ネットワークＮには、画像提供サーバ２０１が、ＬＡＮ回線などの通信部によってルータに接続し、ルータを介して接続されている。画像提供サーバ２０１は、通信部２０１ａと、制御部２０１ｂと、記憶部２０１ｃとを有している。
【００３４】
ネットワークＮには複数の利用者（ユーザ）の携帯端末装置２０５ａ〜２０５ｃが接続される。携帯端末装置２０５ａ〜２０５ｃのそれぞれは、通信部２０７と、操作部２０９と、表示部２１１と、記憶部２１３とを有している。
【００３５】
写真シール作成装置１ａ〜１ｃ，２ａ，２ｂで得られた画像データは、その記憶部内の送信フォルダに記憶され、ＰＨＳカードを介してネットワークＮに接続された画像提供サーバ２０１へ送信される。画像提供サーバ２０１は、得られた画像データを記憶する。
【００３６】
また、携帯端末装置２０５ａ〜２０５ｃにより、画像提供サーバ２０１およびネットワークＮを介して画像提供サーバ２０１に蓄積された画像データをユーザは受信することができ、これにより画像データを携帯端末装置２０５ａ〜２０５ｃの待受け画面などに利用することが可能となる。
【００３７】
図２は、本発明の実施の形態の１つにおける写真シール作成装置の外観の具体例を示す斜視図である。
【００３８】
図を参照して、写真シール作成装置は、撮影空間内の被写体である装置利用者を撮影するためのカメラ２１と、カメラ２１により得られた映像をリアルタイムに表示し、かつユーザからの入力を受付けるタッチパネルディスプレイ２３と、タッチパネルディスプレイ２３へ精度の高い入力を行なうためのタッチペン２３ａと、蛍光灯やストロボを内蔵する照明パネル２４と、プリント物を排出するプリント提供部８とを備えている。
【００３９】
また、写真シール作成装置の上部には、撮影時に音楽を流したり、操作案内のための音声を出力するスピーカ２７が備えられている。写真シール作成装置の内部には、被写体であるユーザが座ることができる撮影用椅子５７と、撮影時の背面となる壁５９とが設けられている。撮影用椅子５７や壁５９は、カメラ２１により撮影された画像に対してクロマキー処理を施すためのクロマキー色で彩色されている。
【００４０】
また、写真シール作成装置の側部には、撮影のための対価であるコインを投入するためのコイン投入口５１と、コインの投入状況を示すためのコイン部モニタ５３と、金庫ボックスにつながる扉５５とが設けられている。プリント提供部８の周辺には印刷の案内を行なうための印刷案内モニタ８１が備えられている。
【００４１】
それぞれの照明パネル２４の奥は、それぞれ箱状に形成され、その箱内部に蛍光灯、ストロボ（光源）が配置され、それらの光源からの光が照明パネルを介して被写体に照射される。カメラ２１を囲む３枚の照明パネル（近接撮影用照明パネル）と、それら３枚以外の照明パネル（全身撮影用照明パネル）からの照射のために配置される光源は共用であることが好ましい。例えば、所定の箱内部に配置された光源からの光が漏れ出るように、それぞれの箱内部の壁面に開口部を設け連通させる。これにより、近接撮影と全身撮影とでそれぞれ別に蛍光灯やストロボを設ける必要がなくなり、またいずれの撮影の場合も光の強度を適度な量に保つことが可能となる。
【００４２】
図３は、写真シール作成装置の撮影空間外に設けられる編集装置の構成を示す図である。
【００４３】
図に示されるように、編集装置は、撮影により得られた画像を表示し、画像の編集のための入力を受付けるタブレットディスプレイ３１と、タブレットディスプレイ３１に入力を行なうためのタブレットペン３３とを備えている。
【００４４】
図４は、写真シール作成装置の機能構成の具体例を示す図である。
図４を参照して、本実施の形態にかかる写真シール作成装置は、各機能や処理動作のための演算、制御の中心部となり、主に撮影側で行なわれるプレイの処理動作と、印刷を実行する第１コンピュータ装置１００ａと、主に編集側で行なわれるプレイの処理動作を実行する第２コンピュータ装置１００ｂと（説明の便宜上区別する必要がない場合は、これらをまとめてコンピュータ装置１００という。）、基板から構成され、コンピュータ装置１００からの指示を受けて、接続してある各種装置を制御、駆動する制御部１１０とを備える。第１コンピュータ装置１００ａと第２コンピュータ装置１００ｂとは、互いに接続され、画像データや情報データなどの授受をピアツーピアで行なう。これらは写真シール作成装置の制御手段として機能する。
【００４５】
写真シール作成装置は、電源を必要とする蛍光灯２８、ストロボ２６、制御部１１０などの電源系統を制御する電源制御部１０８を備え、外部からそれらの装置に対する電源の電圧を安定させるよう制御する。図示はしていないが、電源制御部１０８はストロボ２６などの他にも電源を必要とする機器に接続し、同様の制御を行なう。さらに、そのような電源の投入および切断は、電源スイッチ１０７を押すことで行なわれる。しかし、電源切断によりコンピュータ装置１００で動作しているプログラムを強制的に終了させることは、動作を不安定にさせる原因となる。そのため、電源が落とされても、しばらくはＵＰＳ（Uninterrupted Power Supply）１０９が電源をバックアップし、コンピュータ装置１００に停電信号を送信する。その間に、コンピュータ装置１００はプログラムの終了の手続を行ない、プログラムを正常に終了させる。一方、コンピュータ装置１００を正規の手順で終了した場合は、その旨の信号がＵＰＳ１０９に送信される。
【００４６】
第１コンピュータ装置１００ａは、第１コンピュータ装置１００ａの中心部として演算処理を行なう演算装置であるＣＰＵ(Central Processing Unit)１０１ａと、装置を動作させるためのプログラムおよびプログラムで必要なグラフィックデータ、音声データ、撮影された画像や撮影画像に対して入力した編集画像、撮影画像と編集画像を合成した合成画像（これら撮影画像、編集画像、合成画像のいずれかがサーバへ送信する写真画像となりうる）、その他の各種画像などを記憶する記憶部１０２ａと、プログラムの一時的な作業領域ともなるメモリ１０３ａと、カメラ、各種モニタ、プリンタなどの周辺機器を制御するためのソフトウェアであるドライバ（不図示）と、必要に応じて磁気ディスクや光ディスクや光磁気ディスク、またはＰＨＳユニット４１を装着する入出力インターフェイス（不図示）とを備える。なお、本実施の形態において、第１コンピュータ装置１００ａは画像提供サーバ２０１とネットワークを介して通信するために、ＰＨＳカード４２を差込可能なＰＨＳユニット４１と接続している。
【００４７】
第２コンピュータ装置１００ｂは、第１コンピュータ装置１００ａと異なり、ＰＨＳユニット４１を接続していないが、その他の構成は第１コンピュータ装置１００ａと同様であるため、詳細な説明は繰り返さない。
【００４８】
コンピュータ装置１００は、電源の投入および切断を制御する電源スイッチ１０７が押され、本装置に電源プラグより電源が投入されると、プログラムが起動されて動作を開始する。第１コンピュータ装置１００ａは、接続されるカメラ２１のシャッタタイミングや、タッチパネルディスプレイ２３での表示および入力や、プリンタ８５での出力を制御する。第２コンピュータ装置１００ｂは、接続されるタブレットディスプレイ３１での表示およびタブレットペン３３による入力を制御する。
【００４９】
第１コンピュータ装置１００ａのＣＰＵ１０１ａは、カメラ２１が撮像する映像（ライブ映像）と、記憶部１０２ａに記憶されている撮影動作に関する指示や操作画面とをタッチパネルディスプレイ２３に表示する。タッチパネルディスプレイ２３への表示は、プログラムに応じてライブ映像のみを表示したり、操作画面を表示したり、ライブ映像と操作画面とを合成して表示したり、別の画面を表示したりする。
【００５０】
ライブ映像と撮影動作に関する情報や操作画面との合成は第１コンピュータ装置１００ａの記憶部１０２ａに記憶されているソフトウェアで行なってもよいし、このような合成をするための専用の制御装置（基板）をタッチパネルディスプレイ２３に接続するなどハードウェアで行なってもよい。
【００５１】
また、第１コンピュータ装置１００ａは、上記プログラムの実行や、タッチパネルディスプレイ２３に含まれるタッチパネルから受信した、利用者の指やタッチペン２３ａなどでタッチされる入力操作にしたがった指示信号に基づいて、制御部１１０に対して制御信号を送信する。第２コンピュータ装置１００ｂは、タブレットディスプレイ３１に含まれるタッチパネルから受信した、タブレットペン３３でタッチされる入力操作に従った指示信号に基づいて、制御部１１０に対して制御信号を送信する。
【００５２】
タッチパネルは、モニタ（ディスプレイ）の上に積層されている。タッチパネルは、利用者の指などが触れられることによる入力を検出する。
【００５３】
タッチパネルディスプレイ２３には、撮影・印刷用コンピュータ装置１００ａから送信されるデータが表示される。撮影・印刷用コンピュータ装置１００ａから送信されるデータとは、カメラ２１から撮像される映像や撮影指示や選択肢などの画像であり、これらを適宜画面に表示することによって、撮影時の映像の視覚確認、操作選択の受付けや各種誘導案内などを行なう。
【００５４】
タブレットディスプレイ３１は、タブレットペン３３からの入力を検出する。タブレットペン３３での入力操作によってタブレットディスプレイ３１により検出されたデータ信号は、第２コンピュータ装置１００ｂに送信される。タブレットディスプレイ３１には、第２コンピュータ装置１００ｂから送信されるデータが表示される。したがって、利用者が落書きなどを入力している最中は、落書きなどが施された撮影画像が、タブレットディスプレイ３１に表示される。すなわち、利用者はタブレットディスプレイ３１に表示された撮影画像に対して、タブレットペン３３を使用して、その上に編集入力処理を行なうことができる。
【００５５】
プリンタ８５は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、写真シール作成装置は、プリンタ８５でシールが印刷されるものとして説明を行なうが、印刷媒体はシールに限定されず、他の印刷媒体であっても同様の処理が実行される。
【００５６】
プリンタ８５は、上述の用紙切れなどの状態を第１コンピュータ装置１００ａに通知する。第１コンピュータ装置１００ａは、その状態に応じて制御部１１０に制御信号を送信する。
【００５７】
なお、コンピュータ装置１００に各々接続される構成要素はこのような形態に限定されず、機能ごとに分かれていたり、位置ごとに分かれていたりしてもよい。さらに、コンピュータ装置１００は本実施形態のような２台で構成されていなくてもよく、１台でもよいし、２台以上で構成されていてもよい。
【００５８】
制御部１１０は、第１コンピュータ装置１００ａ、第２コンピュータ装置１００ｂおよび電源制御部１０８の他に、コイン制御部１１３、ストロボ制御部１１４、撮影用スピーカ２７、編集用スピーカ３７、印刷案内モニタ８１、コイン部モニタ５３、およびサービスパネル１１６に接続される。
【００５９】
コイン制御部１１３は、コイン投入口に投入されたコインの正当性を検出し、制御部１１０にコインが投入されたことを示す検出信号を送信する。
【００６０】
制御部１１０は、コンピュータ装置１００から受信した制御信号にしたがって、コイン制御部１１３に対して制御信号を送信する。コイン制御部１１３は、該制御信号にしたがって、コインが投入されないようにコイン投入口をブロックするか、コイン投入口に投入されたコインをコイン排出口から排出することができる。コイン制御部１１３は、前者の場合はコインブロッカとして機能し、後者の場合はコインキャンセラとして機能する。このことで、プレイ中にコイン投入を禁止することができる。
【００６１】
ストロボ制御部１１４はカメラ２１に接続されて、カメラ２１におけるシャッタタイミングに応じた同期信号を取得する。そして、カメラ２１のシャッタタイミングに同期させて、ストロボ２６を発光させるように制御する。なお、ストロボ制御部１１４は制御部１１０と接続され、発光させるストロボ２６などの閃光照明装置の選定や、ストロボ２６の発光度の設定がなされる。蛍光灯２７などの常灯照明装置も同様に制御部１１０と接続され、その照明度合いなどの設定がなされるようにしてもよい。
【００６２】
制御部１１０は、第１コンピュータ装置１００ａから受信した制御信号（指示コマンドなど）にしたがって、撮影用スピーカ２７に対して指示信号を送信し、写真シール作成装置の撮影プレイにおける操作などの案内やＢＧＭ（Back Ground Music）などを出力する。同様に制御部１１０は、第２コンピュータ装置１００ｂから受信した制御信号にしたがって、編集用スピーカ３７に指示信号を送信し、写真シール作成装置の編集プレイにおける操作などの案内やＢＧＭなどを出力する。なお、撮影用スピーカ２７または編集用スピーカ３７の音声のボリュームを調整する音量調整つまみは、サービスパネル１１６に備えられる。
【００６３】
サービスパネル１１６は、投入されたコインの枚数をカウントするコインカウンタ、印刷されたプリントの枚数をカウントするプリントカウンタ、撮影用スピーカ２７または編集用スピーカ３７から出力する音声のボリュームを調整する音量調整つまみ、テストモードを行なうためのテストボタン、コインを投入しなくても装置が利用できるようにするためのサービスボタン等を備えるパネルであって、写真シール作成装置の設置者が各種設定やメンテナンスの操作を行なう際に用いる。サービスパネル１１６は、サービスボタンの操作などの制御操作が行なわれると、その操作にしたがった制御信号を制御部１１０に対して送信する。
【００６４】
制御部１１０は、コンピュータ装置１００から受信した制御信号にしたがって、サービスパネル１１６に対して制御信号を送信する。サービスパネル１１６は、該制御信号に従って、コインカウンタやプリントカウンタを動作させる（例えばカウンタを１インクリメントする）。
【００６５】
さらに、制御部１１０は、撮影・印刷用コンピュータ装置１００ａから、プリンタ８５の状態に応じた制御信号を受信し、該制御信号にしたがって、印刷案内モニタ８１の表示を制御する。
【００６６】
ＰＨＳユニット４１は、ＰＨＳカード４２を差込むことによって通信部４０として機能する。本写真シール作成装置は、ＰＨＳカード４２によって、第１コンピュータ装置１００ａの記憶部１０２ａに記憶された写真画像および必要な情報などを外部に送信し、サーバから送信される情報を受信し記憶部１０２ａに記憶する。この点については、後に詳細を説明する。
【００６７】
なお、言うまでもなく、写真シール作成装置の形態は図１〜図４に示される具体例に限定されるものではない。すなわち、図１〜図４に記載されない他の機能が備えられていてもよいし、図１〜図４に記載されている機能の必ずしも全てが備えられていなくても構わない。
【００６８】
図５は、写真シール作成装置の撮影側の第１コンピュータ装置１００ａの動作を示すフローチャートである。
【００６９】
図を参照して、ステップＳ１０において各機器の動作チェックが行なわれる。ステップＳ１１において、写真送信処理の起動が行なわれ、ステップＳ１２において通信テスト処理が行なわれる。
【００７０】
なお、ステップＳ１１における写真送信処理とは、送信キューに登録された写真をサーバへ送信する処理である。なお、ここでは写真送信処理は、図５の撮影側のメインの処理において起動され、メイン処理とは別個独立に動作する例を示しているが、写真送信処理は、撮影側の処理において待機画面を表示して利用者のプレイ開始を待機する期間（ステップＳ１４でＮＯである場合のループ処理中）、または編集側の処理において待機画面を表示して利用を待機する期間等、メイン処理の所定のタイミングで行なってもよい。
【００７１】
また、ステップＳ１２の通信テストは、装置に電源が入れられた後、利用を待機する待機画面が表示されるまでの、起動時のタイミングで行なわれる。
【００７２】
ステップＳ１３においてタッチパネルディスプレイ２３に待機画面を表示し、ステップＳ１４においてコイン制御部１１３が対価の投入を受付けたかを判定する。
【００７３】
ステップＳ１４においてＹＥＳであれば、ステップＳ１７においてＩＤ取得処理を行なう。ＩＤ取得処理は、ユーザのプレイ開始時に実行される。この処理については、図９において詳述する。
【００７４】
ＩＤ取得処理の後、ステップＳ１８において撮影モードを選択し、カメラ２１を用いた撮影プレイを開始する。それぞれの撮影モードにおいては、所定の撮影制限時間若しくは所定の撮影回数の撮影が終了すれば撮影を終了する。以下においては、１０枚の写真画像を得る例が示されている。
【００７５】
撮影が終了するとステップＳ１９において、撮影終了の案内をタッチパネルディスプレイ２３および撮影用スピーカ２７を用いて行なう。その後、ステップＳ２０においてユーザを編集側へ移動させるための案内が行なわれ、ステップＳ１３に戻る。
【００７６】
なお、ステップＳ１４においてＮＯであれば、ステップＳ１５において通信テストを行なうかが判定され、ＹＥＳであればステップＳ１６で通信テスト処理を行ない、その後ステップＳ１４に戻る。
【００７７】
ステップＳ１６での通信テストは、アイドル時若しくは予め定められた所定の時刻に実行される。ステップＳ１５では、通信テストのタイミングであるかを判定する。例えば、所定のプレイ回数ごとに通信テストを行なう設定がなされている場合は、そのプレイ回数に達したかをステップＳ１５で判定する。また、最後に通信テストを行なった時刻からの経過時間により通信テストを行なう設定がなされている場合は、その経過時間が経過したかをステップＳ１５で判定する。
【００７８】
また、送信設定が有効でも送信エラーが頻繁に発生する場合を考慮し、送信エラーが所定の回数を超えた場合に通信テストを行なう設定の場合は、送信エラーの回数をステップＳ１５で判定する。逆に、過去の送信エラー等の理由で送信設定が無効でも、店舗の電波状態がよくなっている可能性を考慮し、送信設定を無効にしてからの経過時間により通信テストを行なう設定の場合は、その経過時間をステップＳ１５で判定し、通信テストを実行する。
【００７９】
このように、装置のアイドル期間に通信テストを行なうことで、利用者の利用時に表示制御が遅くなるなどの、ＣＰＵの負荷を高めることによる悪影響を及ぼすことがない。また、装置を起動した後、所定の条件で随時通信状況の確認を行なうことで、通信状況の変化に対応したサービスの提供が可能となる。
【００８０】
図６は、写真シール作成装置の編集側の第２コンピュータ装置１００ｂが行なう処理を示すフローチャートである。
【００８１】
図を参照して、ステップＳ３０においてタブレットディスプレイ３１に待機画面を表示する。ステップＳ３１において、写真の編集の準備が完了したかが判定され、ＹＥＳになると、ステップＳ３２においてタブレットディスプレイ３１に撮影された写真を表示し、ユーザにメインの写真を選択させる処理を行なう。すなわちここでは、撮影により得られた枚数（たとえば１０枚）の写真画像を一覧として表示し、主に落書きを行なうメイン写真を、左右のタブレットペンの操作により、所定枚数（例えば４枚）受付ける。
【００８２】
また、ステップＳ３３においてタブレットディスプレイ３１に編集画面を表示し、タブレットペン３３を用いたユーザの画像編集を受付ける処理を行なう。すなわち、メイン写真として選択された写真が、中央の編集写真選択部に大きく表示される。メインとして選択されなかったその他の写真は小さく表示され、区別される。これらその他の写真も選択することで編集が可能である。なお、本実施の形態においては、左右の２人のユーザそれぞれからの編集入力を受付ける、左右に並んだ２つの画面をタブレットディスプレイ３１に表示することとしている。撮影により得られた１０枚の写真は、左右に振り分けられて選択を受付けるが、左右共通で選択を受付けても構わない。編集が終了すると、ステップＳ３４において印刷レイアウトの選択をユーザから受付け、ステップＳ３５で送信設定が有効かを判定する。
【００８３】
ステップＳ３５でＹＥＳであれば、ステップＳ３６において印刷待機機能（印刷を待機するユーザに提供する機能）の選択を行なう。この選択は、ユーザからの選択肢の入力を受付け、その受付けた入力に基づいて決定する。
【００８４】
ステップＳ３７において、送信機能を行なうか、つまり上述の印刷機能選択処理で送信機能が選択されたかを判定し、送信機能が選択された場合（ＹＥＳ）であれば、ステップＳ４１においてシールにプリントする印刷データを作成する。なお、このときの印刷データは、シールシートにＩＤや画像データを得るためのＵＲＬを印刷するものである。
【００８５】
ステップＳ４２において、作成された印刷データに基づきシールシートの印刷を開始する。印刷中に、ステップＳ４３においてユーザにユーザの携帯端末に送信する写真を選択させる処理を行ない、ステップＳ４４においてユーザの携帯端末のメールアドレスを入力させる処理を行なう。
【００８６】
ステップＳ４３では、左右のユーザそれぞれで個別に選択を受付ける。個別に選択できるので、左右ユーザそれぞれで異なる写真を選択することも可能である。なお、ここでは撮影、編集で作成した写真を全て表示して選択を受付けることとしているが、メイン写真選択で選択された４枚の写真だけを表示してもよい。またメイン写真選択で選択された４枚の編集前の写真画像と、その写真に対して編集された編集後の４枚の写真画像の合計８枚を一覧で表示して、選択させても構わない。
【００８７】
次に、ステップＳ４５において送信する写真を決定し、ステップＳ４６においてそれを送信キューに登録する。その後、ステップＳ３０に戻る。
【００８８】
なお、ステップＳ４５においては、利用者が選択した写真を含めた、所定枚数の写真を送信する写真とする。ここでは４枚の写真を送信するものとする。例えば、左のユーザが写真Ａを、右のユーザが写真Ｂを選択した場合は、残りの８枚の写真からランダムで残り２枚の写真が選ばれ、合計４枚の写真が決定される。
【００８９】
また、左のユーザと右のユーザが同じ写真Ａを選択した場合は、残りの９枚からランダムで３枚が選ばれ、合計４枚が決定される。なお、ランダムで選ぶのではなく、メイン写真選択で選択された写真を優先して決定を行なってもよい。また、編集が施されているか否かを判定し、編集が施されている写真を優先して決定を行なってもよい。ここで決定された、利用者が選択していない写真もサーバへ送信される。
【００９０】
選択された写真に対しては、携帯電話の待ち受け画面サイズへの画像サイズの変換サービス、ＷＥＢサイト上での写真の編集サービスなどが提供される。これらのサービスは、ＷＥＢサイトの会員でなくても受けることができる。会員登録を行なうと、選択されてない写真に対しても同様のサービスを受けることができる。これにより、会員登録をユーザに促すことができる。
【００９１】
さらに、サーバには会員ごとに所定の容量の記憶エリアが確保される。会員は、このエリアに非会員よりも長い期間、多い容量の画像の保存が可能となる。
【００９２】
ステップＳ３５またはＳ３７のいずれかでＮＯであれば、ステップＳ３８において印刷データを作成する。このときは、撮影により得られた画像をサーバに送信しないため、シールシートにはＩＤやＵＲＬを印刷しないデータが作成される。ステップＳ３９において作成された印刷データに従い印刷が開始され、ステップＳ４０においてはユーザに写真の閲覧機能を提供する。その後、ステップＳ３０に戻る。
【００９３】
写真の閲覧機能とは、利用者が作成した写真を、装置を利用する他の利用者が閲覧できるように登録するか否かの選択を受付け、登録する場合は公開する写真の選択を受付ける機能である。ここで受付けた写真は、装置に一定期間登録され、閲覧機能により一覧として表示される。登録写真に加えて、予め装置で準備したサンプル写真を閲覧させてもよい。このような印刷を待つ間に表示される写真は、次に装置を利用するときの参考になる。
【００９４】
図７は、写真シール作成装置が実行する写真送信処理を示すフローチャートである。
図を参照して、ステップＳ５０において送信設定が有効かを判定し、ＹＥＳであればステップＳ５１において送信キューに登録があるかを判定する。
【００９５】
ステップＳ５１でＹＥＳであれば、ステップＳ５２において通信部４０を用いて画像提供サーバ２０１との接続を行なう。その後、ステップＳ５３において写真情報を作成し、ステップＳ５４において写真情報とともに選択写真１（左ユーザによって選択された写真）を送信する。
【００９６】
ステップＳ５５において送信が成功したかを判定し、ＹＥＳであれば、ステップＳ６０において選択写真２（右ユーザによって選択された写真）は選択写真１と同じ写真であるかを判定する。ここでＮＯであれば、ステップＳ６１において写真情報とともに選択写真２を送信する。ステップＳ６２において選択写真２の送信が成功したかを判定し、ＹＥＳであれば、ステップＳ６３において写真情報とともに選択されなかった残りの写真をそれぞれ送信する。たとえば、選択されなかった残りの写真が２枚であれば、それぞれ１回、計２回送信する。
【００９７】
そして、１プレイ分で送信すべき全ての写真の送信に成功すれば、ステップＳ６４において送信キューの登録を削除し、ステップＳ６５で通信を切断する。その後、ステップＳ５０に戻る。
【００９８】
なお、ステップＳ５５またはＳ６２のいずれかでＮＯであれば、つまり、１回の送信に失敗すれば、ステップＳ５６において送信キューの送信回数を１回加算する。ステップＳ５７で送信回数が所定回数を超えたかを判定し、ＹＥＳであればステップＳ５８において送信キューの登録を削除し、ステップＳ５９で送信設定を無効にする。その後、ステップＳ６５で通信を切断しステップＳ５０へ戻る。つまり、予め定められた所定の回数の送信を行なっても選択された写真の送信に成功しない場合は、選択されなかった写真を送信せず、当該１回分で送信すべき写真の送信を中止させる。
【００９９】
また、ステップＳ５７においてＮＯであれば、そのままステップＳ６５へ進む。このように送信に失敗して一端通信を切断し（Ｓ６５）、再度Ｓ５０に戻って送信を繰り返す場合、送信エラーが繰り返されることが考えられるので、所定の時間を開けて送信を行なうか、若しくは送信に失敗した送信キューの登録をキューの最後に移動させるなど、再送信するタイミングを変える、もしくは送信するデータを変えることが好ましい。後述の通信テスト処理など、写真画像以外の送信を行なう場合も同様である。
【０１００】
なお、ステップＳ５０またはＳ５１のいずれかでＮＯであれば、ステップＳ５０に戻る。
【０１０１】
なお、ステップＳ５５、Ｓ６２では、送信が成功したかの結果の判定を、送信直後に行なうようにしているが、送信を実行した後、送信の結果待ちである旨の処理の状態を保持し、一端フローを抜け、サーバからの応答が帰ってくるか、もしくは応答がない時間が所定の時間経過したかのタイミングで、送信結果の判定を行なってもよい。
【０１０２】
また、ステップＳ６３で残りの写真を送信する処理においても、選択写真１や選択写真２の送信後の処理と同様に、送信結果の判定が行なわれる。ただし、残りの写真の送信の場合は、送信エラーであるときに送信設定を無効にする処理（Ｓ５９相当の処理）は省いてもよい。
【０１０３】
図８は、写真シール作成装置が行なう通信テスト処理（図５のＳ１２、Ｓ１６）の詳細を示すフローチャートである。
【０１０４】
図を参照して、ステップＳ７０においてサーバ情報を装置に反映させる処理を行なう。ステップＳ７１において画像提供サーバ２０１が停止中であるかを判定し、ＮＯであればステップＳ７２において画像提供サーバ２０１と通信部４０を介して接続し、ステップＳ７３で履歴情報を作成する。
【０１０５】
なお、ステップＳ７１での判断は、ステップＳ７０の処理（詳細は、後述の図１０のステップＳ１０３やＳ１０５の処理）で設定され、保持された情報に基づいて行なわれる。すなわち、ステップＳ７１においては、実際にサーバとの通信は行なわれない。
【０１０６】
ステップＳ７４において、履歴情報とともにサーバ情報の要求を画像提供サーバ２０１へ送信する。ステップＳ７５において、送信が成功したかを判定し、ＹＥＳであればステップＳ７８においてダミーファイルを作成する。
【０１０７】
ステップＳ７９においてダミーファイルを送信する。ステップＳ８０においてダミーファイルの送信が成功したかを判定し、ＹＥＳであればステップＳ８３においてダミーファイルの送信を３回行なったかを判定する。
【０１０８】
ステップＳ８３においてＹＥＳであれば、ステップＳ８４において送信設定を有効とし、ステップＳ８５においてサーバ情報を取得し、それを記憶する。
【０１０９】
その後、ステップＳ８６において通信切断を行ない、メインルーチンへ戻る。
また、ステップＳ７１においてＹＥＳであれば、そのままメインルーチンに戻る。
【０１１０】
ステップＳ７５においてＮＯであれば、ステップＳ７６において送信回数が所定回数を超えたかを判定し、ＹＥＳであればステップＳ７７において送信設定を無効にした後、ステップＳ８６へ進む。
【０１１１】
また、ステップＳ７６においてＮＯであれば、ステップＳ７４に戻る。
ステップＳ８０においてＮＯであれば、ステップＳ８１において送信回数が所定回数を超えたかを判定し、ＹＥＳであればステップＳ８２において送信設定を無効とし、ステップＳ８６へ進む。
【０１１２】
また、ステップＳ８１またはＳ８３のいずれかでＮＯであれば、ステップ７９へ戻る。
実際の写真送信時より小さなサイズのデータは、電波状態が不安定であっても送受信できてしまうことがあり、小さなサイズのデータの通信テストで送信が成功しても、後の写真送信で大きなサイズのデータを送る時にエラーとなることがあり、正確な判定ができない問題がある。
【０１１３】
そこで、本実施の形態では、実際の写真の送信と出来る限り同程度の送信によりテストを行なうようにしている。具体的には、１回に送信するデータサイズを写真画像のデータサイズと同程度にし、また送信する回数を送信する写真の枚数と同程度（この例では履歴情報１回、ダミーファイル３回の計４回）とすることにより、テストの精度を高めている。また、この例では履歴情報を送る場合で説明しているが、履歴情報を送らない場合は、実際に送信する写真の枚数と同程度のサイズ、回数の送信が行なわれる（４枚の写真を送信する場合は、４回のダミーデータの送信）。
【０１１４】
また、この通信テストに兼ねて、サーバのメンテナンス情報や設定情報などのサーバ情報や、装置の履歴情報の送受信を行なうことにより、わざわざ、サーバ情報の取得などのために通信を行なう必要がなくなり、無駄がなく効率的であるという効果がある。さらに、履歴情報をサーバへアップロードすることで、各店舗に設置された写真シール作成装置の状態をサーバで一元的に集計、分析が可能となり、装置の保守、改善に効果的となる。
【０１１５】
なお、装置起動時以外の通信テストや、写真送信時のエラーなどで、送信設定を無効または有効に変更する場合、どのタイミングでそれを装置に反映させるかが問題となる。本実施の形態では、装置の利用開始時に送信設定が有効か否かを判定することで、その利用者に対する送信機能の提供を有効にするか無効にするかを決定し、その利用者へのプレイが完了するまでは、たとえステップＳ８２等で送信が無効にされたとしても、その変更を反映させないようにする。すなわち、送信設定が有効か否かの情報を一旦保持しておき、利用者ごとに、その情報を参照し、利用者ごとに送信機能を提供するか否かを決定するようにする。このような処理を行なうことで、プレイ中に急に送信が無効になったりすることを防ぐことができる。
【０１１６】
図９は、写真シール作成装置のＩＤ取得処理（図５のＳ１７）の詳細を示すフローチャートである。
【０１１７】
図を参照してステップＳ９０において、送信設定が有効かを判断し、ＹＥＳであればステップＳ９１において通信部４０を介した画像提供サーバ２０１との通信接続を行なう。
【０１１８】
ステップＳ９２において写真シール作成装置の機種情報を作成し、ステップＳ９３において機種情報とともにＩＤ発行要求を画像提供サーバ２０１へ送信する。ステップＳ９４において送信が成功したかを判定し、ＹＥＳであればステップＳ９７において画像提供サーバ２０１からＩＤを取得し、それを記憶する。
【０１１９】
その後、ステップＳ９８において通信を切断した後、メインルーチンに戻る。
また、ステップＳ９０においてＮＯであれば、そのままメインルーチンに戻る。
【０１２０】
ステップＳ９４においてＮＯであれば、ステップＳ９５において送信回数が所定回数を超えたかを判定し、ＹＥＳであればステップＳ９６において送信設定を無効とした後、ステップＳ９８へ進む。
【０１２１】
ステップＳ９５においてＮＯであれば、そのままステップＳ９３へ戻る。
本実施の形態では、写真シール作成装置から機種情報をサーバへ送信する。サーバは、その機種情報に基づいて、機種が区別できるようにＩＤを生成する。但し、例えば予め機種ごとにサーバでプログラムを準備しておき、実行するプログラムを写真シール作成装置から指示し、それぞれのプログラムにおいて、機種が区別できるようにＩＤを生成することで、機種が区別できるようにＩＤを生成可能にしてもよい。
【０１２２】
このように、機種が区別できるようにＩＤを生成することにより、サーバへ送信される写真の管理が容易になり、また機種に応じた案内を利用者に発信することが可能となり効果的である。
【０１２３】
図１０は、写真シール作成装置のサーバ情報反映処理（図８のＳ７０）の詳細を示すフローチャートである。
【０１２４】
図を参照してステップＳ１００において、装置の現在日時を取得し、ステップＳ１０１において装置の現在日時と装置に記憶されているサーバ情報とを照合する。
【０１２５】
照合した結果、ステップＳ１０２において装置の現在日時がサーバ停止期間内であるかを判定し、ＹＥＳであればステップＳ１０３においてサーバが停止中であると設定する。その後、ステップＳ１０４において送信設定を無効とした後、メインルーチンに戻る。
【０１２６】
一方、ステップ１０２においてサーバ停止期間内でないと判定されると、ステップＳ１０５においてサーバ稼動中であると装置に設定した後、メインルーチンに戻る。
【０１２７】
上述のとおり、本実施の形態では、サーバ停止中か否かの情報と送信設定が有効か否かの情報とを分けて管理している。サーバ停止中か否かの情報を得ない場合（または図８のステップＳ７１の判定がない場合）は、サーバへの送信が明らかにできない場合にも通信テストを行なってしまい無駄となるからである。また、図８は、送信設定が無効である場合にも通信テストの結果により送信設定を有効にする処理（無効有効処理）を含み、仮に、ステップＳ７１の判定を、送信設定が有効か否かの判定に代えると、送信設定が無効な場合に通信テストを行なわなわずに処理が終了し（Ｓ７１でＹＥＳへ進み）、上述の無効有効処理が機能しなくなるためである。
【０１２８】
図１１は、写真シール作成装置に対する画像提供サーバ２０１の動作を示すフローチャートである。
【０１２９】
図を参照して、ステップＳ２００において写真シール作成装置からの要求があるかを判定し、ＹＥＳであればステップＳ２０１において受信データを確認する。
【０１３０】
ステップＳ２０２において受信データがエラーであるかを判定し、ＮＯであれば、ステップＳ２０４において写真の受信であるかを判定する。ステップＳ２０４においてＮＯであれば、ステップＳ２０７においてサーバ情報の要求かを判定し、ＮＯであれば、ステップＳ２１１でＩＤ発行の要求であるかを判定する。
【０１３１】
ステップＳ２１１においてＹＥＳであれば、ステップＳ２１２において機種情報をもとにＩＤ情報を作成し、ステップＳ２１３においてＩＤ情報とともに正常終了である旨を写真シール作成装置に返信する。
【０１３２】
また、ステップＳ２００でＮＯであれば、そのまま処理を終了する。
ステップＳ２０２において受信データがエラーであれば、ステップＳ２０３において要求に応じてエラーを写真シール作成装置に返信する。
【０１３３】
ステップＳ２０４で写真の受信であると判定されると、ステップＳ２０５において写真登録処理を行ない、ステップＳ２０６において正常終了を写真シール作成装置に返信する。
【０１３４】
ステップＳ２０７においてサーバ情報の要求であると判定されると、ステップＳ２０８において履歴情報を保存し、ステップＳ２０９においてサーバ情報を作成する。その後、ステップＳ２１０においてサーバ情報とともに正常終了である旨を写真シール作成装置に返信し、処理を終了する。
【０１３５】
また、ステップＳ２１１でＮＯであれば、そのまま処理を終了する。なお、この例では、写真シール作成装置からの要求がなければ、もしくは所定の処理を実行した後、終了する処理としているが、写真シール作成装置からの要求を絶えず監視する、つまりＳ２００へ戻る処理としてもよい。
【０１３６】
図１２は、画像提供サーバ２０１の写真登録処理（図１１のＳ２０５）の詳細を示すフローチャートである。
【０１３７】
図を参照して、ステップＳ２２０において写真情報を取得する。また、ステップＳ２２１において写真を取得する。
【０１３８】
ステップＳ２２２において、写真セットＩＤに関連付けて写真を登録する。
ステップＳ２２３において登録した写真は選択写真１であるかが判定され、ＹＥＳであればステップＳ２２４において選択写真１に対応するメールアドレス１は妥当であるかを判定する。
【０１３９】
ステップＳ２２４においてＹＥＳであれば、ステップＳ２２５において選択写真１に対応するＵＲＬ１を作成し、ステップＳ２２６においてＵＲＬ１を本文に含むメール１を作成する。その後、ステップＳ２２７において選択写真１に対応するメールアドレス１にメール１を送信する。
【０１４０】
その後、ステップＳ２２８において、登録した写真は選択写真２であるかを判定し、ＹＥＳであればステップＳ２２９において選択写真２に対応するメールアドレス２は妥当であるかを判定する。
【０１４１】
ステップＳ２２９においてＹＥＳであれば、ステップＳ２３０において選択写真２に対応するＵＲＬ２を作成し、ステップＳ２３１においてＵＲＬ２を本文に含むメール２を作成する。
【０１４２】
その後、ステップＳ２３２において選択写真２に対応するメールアドレス２にメール２を送信する。
【０１４３】
また、ステップＳ２２３またはＳ２２４のいずれかでＮＯであれば、ステップＳ２２８に進む。ステップＳ２２８またはＳ２２９のいずれかでＮＯであれば、本処理を終了する。
【０１４４】
つまりこの処理は、写真シール作成装置から写真が送信されるごとに処理され、その写真が選択された写真である場合は、所定の処理を行ない、その写真を選択したユーザが指定したメールアドレスにメールが送信され、選択しなかったユーザが指定したメールアドレスにはメールが送信されない。また、その写真が複数のユーザにより選択されている場合は、それぞれのユーザが指定したメールアドレスにメールが送信される。さらに、いずれのユーザによる選択もされていいない場合は、写真を登録保存するだけでメールは送信されない。なお、これら処理は、写真画像ともに送信される後述の写真情報に基づいて行なわれる。
【０１４５】
このような処理により、ユーザは入力したメールアドレスに送信されるＵＲＬにアクセスするだけで、容易に写真画像を閲覧することが可能となる。
【０１４６】
なお、ステップＳ２２４、Ｓ２２９でメールアドレスの妥当性をチェックしているのは、以下の理由による。すなわち、メールアドレスの入力（図６のＳ４４）で、入力が不完全なまま入力制限時間が経過した場合などには、正常なメールアドレスがサーバに送られないこととなる。このような場合を考慮して、例えば、写真情報に含まれるメールアドレスが存在しない場合、若しくは存在しても「＠」以降のアドレス情報がない等、明らかにメールアドレスが正常でない場合などには、送信を行なわないよう制御するものである。これにより、誤送信を防ぐことが可能になる。
【０１４７】
図１３は、携帯端末装置に対する画像提供サーバ２０１の処理を示すフローチャートである。
【０１４８】
図を参照して、ステップＳ２４０において、メール１またはメール２本文のＵＲＬ１またはＵＲＬ２からのアクセス要求であるかを判定する。ここでＹＥＳであれば、ステップＳ２４１において携帯端末装置にアクセス画面を表示させる。
【０１４９】
また、ステップＳ２４２においてアクセス画面からの写真表示要求であるかを判定する。ＹＥＳであれば、ステップＳ２４３においてＵＲＬに対応する閲覧用ＩＤを取得する。次に、ステップＳ２４４において閲覧用ＩＤに対応する写真があるかを判定し、ＹＥＳであればステップＳ２４５において写真を携帯端末装置に表示させる。また、ステップＳ２４４でＮＯであれば、ステップＳ２４６においてエラー画面を携帯端末装置に表示させる。
【０１５０】
ステップＳ２４２においてＮＯであれば、ステップＳ２４７において空メールを受信したかを判定し、ＹＥＳであればステップＳ２４８においてトップ画面ＵＲＬを本文に含むメールを携帯端末装置に返信する。
【０１５１】
ステップＳ２４７においてＮＯであれば、ステップＳ２４９においてトップ画面の表示要求であるかが判定され、ＹＥＳであればステップＳ２５０において携帯端末装置にトップ画面を表示させる。
【０１５２】
ステップＳ２４９においてＮＯであれば、ステップＳ２５１において閲覧用ＩＤ入力画面の表示要求であるかを判定し、ＹＥＳであればステップＳ２５２において携帯端末装置にＩＤ入力画面を表示させる。
【０１５３】
ステップＳ２５１においてＮＯであれば、ステップＳ２５３において閲覧用ＩＤとともに写真表示要求があったかを判定し、ＹＥＳであればステップＳ２４４に進む、ＮＯであればここでの処理を終了する。なお、図１３に示す処理も、図１１の写真シール作成装置に対するサーバの処理と同様に、携帯端末装置からのそれぞれの要求に従って処理を実行し、終了する例を示しているが、当然、携帯端末装置からの要求を絶えず監視する、つまりＳ２４０へ戻る処理としてもよい。
【０１５４】
図１４は、写真シール作成装置に蓄積される送信キューの構成を示す図である。送信キューは、写真シール作成装置からサーバへの写真送信（図７写真送信処理）の送信の有無、送信の順番を管理するために用いられる。
【０１５５】
図を参照して、キューの先頭には登録数（キューに登録された写真セットの数であり、ここでは２つのセットが登録されていることを示す）が記録される。登録数の後に、写真セットのＩＤ（１６桁の数字）と、そのセットの送信回数とがペアとなって記録される。ここでは、写真セットの１つにおいて、４枚の写真の送信処理を行なうこととしている。写真セットＩＤとは、ユーザのプレイごとに割り当てられＩＤを意味する。
【０１５６】
図１５は、図７のステップＳ５３で作成される写真情報の構成を示す図である。写真情報は、写真シール作成装置においてユーザが選択もしくは入力した情報をサーバへ知らせるためのものであり、この情報を元に、サーバは写真の登録保存、メールの送信、またはユーザへの写真の配信を行なう。
【０１５７】
図に示されるように、写真情報は、選択写真１（左ユーザが選択した写真）の写真番号１と、選択写真２（右ユーザが選択した写真）の写真番号２と、選択写真１の閲覧用ＩＤ１と、選択写真２の閲覧用ＩＤ２と、選択写真１を送信するメールアドレス（左ユーザが入力したメールアドレス）と、選択写真２を送信するメールアドレス（右ユーザが入力したメールアドレス）と、撮影日時と、ＰＨＳカード４２の端末番号とから構成される。
【０１５８】
図１６は、図７の写真送信処理により送信される送信データの具体例を示す図である。
図を参照して、１つの写真セットとして、合計４枚の写真データが送信される。送信が正常に行なわれる場合、１枚目の写真として選択写真１が送信され、２枚目の写真として選択写真２が送信される。また、３枚目、４枚目の写真としては、ユーザが選択しなかった写真の中から選ばれた写真が送信される。
【０１５９】
但し、選択写真１と２とが同じ写真である場合、１枚目の写真として選択写真１が送信されると、２〜４枚目の写真としては、ユーザが選択しなかった写真の中から選ばれた写真が送信される。このように、同じ写真が選ばれた場合でも、それぞれの利用者（異なる顧客間）で閲覧できる写真の枚数を同数にすることにより、利用者間の公平さを保つことができる。
【０１６０】
なお、写真画像のファイル名は、写真セットＩＤと写真番号とを含むものである。写真番号は、図１６の処理で送信する順番に、写真に付与される番号である。１〜４枚目の写真画像と共に送られる写真情報は、図１５の構成を示すものである。１つの写真セット内の１〜４枚目の全ての写真画像に添付される写真情報は、全て同じである。仮に写真情報を、たとえば１枚目の写真画像のみに添付して送信するようにした場合、２枚目以降の写真画像を受信したときに、先に受信した写真情報をサーバ内で検索して処理を行なうことが必要となる。そこで、この例のように、全ての写真画像に写真情報を添付することで、その検索が不要となり効果的である。
【０１６１】
図１７は、図８のステップＳ７４で送信される履歴情報の構成を示す図である。
図に示されるように、履歴情報は、その中に含まれる情報の数と、情報コードと、情報内容とから構成される。例えば履歴情報には、現在時刻情報、プレイ時間（平均プレイ時間・最長プレイ時間・最短プレイ時間）、各種選択項目の選択回数（撮影コース・編集用画像の種別・印刷レイアウトの種別）、売上情報（１日の売上・累計の売上）、プリント回数、ストロボ発光回数、タッチペンのタッチ回数、プログラムバージョン情報、エラー履歴、など、色々な店舗に設置される写真シール作成装置それぞれに固有な装置の状態、蓄積された履歴等の情報を含めることができる。
【０１６２】
履歴情報により、各写真シール販売装置の情報を、サーバで一元管理することができるという効果がある。また、履歴情報に基づいて、後述のサーバ情報に含まれる店舗運営者への案内メッセージを提供することができる。たとえば、プレイ時間が極端に長い、短いなど異常な場合は注意を促す案内、ストロボ発光回数、タッチペンのタッチ回数など消耗度が高い場合はそれら消耗部品の交換を促す案内、プログラムバージョン情報が最新のバージョンでない場合は最新のバーションに変更することを促す案内、などを個別の装置ごとに提供することができる。
【０１６３】
図１８は、図８の通信テスト処理で送信される送信データの具体例を示す図である。
図左に示されるように、履歴情報（図１７）を送信する場合は、送信データとして、履歴情報を示すデータ種別コードと、履歴情報と、ＰＨＳ端末番号とが送信される。また、図右に示されるようにダミーファイルを送信する場合は、送信データとして、ダミーファイルを示すデータ種別コードと、ダミーファイルと、ＰＨＳ端末番号とが送信される。
【０１６４】
履歴情報も、ダミーファイルも約５０ＫＢのデータ量を有し、実際の１枚の写真画像のデータ量に近くしている。
【０１６５】
図１９は、図９のステップＳ９３で送信される機種情報の具体例を示す図である。
図に示されるように、機種情報は、写真シール作成装置の機種コードと、プログラムバージョンとを含む。
【０１６６】
図２０は、図１１のステップＳ２０９で作成されるサーバ情報の構成を示す図である。
図に示されるように、サーバ情報は、その中に含まれる情報の数と、情報コードと、情報内容とから構成される。例えばサーバ情報には、サーバ停止予定日時、サーバ稼動開始予定日時、サーバの現在時刻、利用者への案内（遊び方に関する情報、お得情報、占い情報等）、店舗運営者への案内（よくある問い合わせ情報、バージョンアップ情報等）など、サーバのメンテナンス情報、サーバの状態、サーバからの案内等の情報を含めることができる。このようなサーバ情報を写真シール作成装置に知らせることにより、サーバと写真シール作成装置が連動した、よりよいサービスを提供でき、サーバの状態を、各店舗に散在して設定されている写真シール作成装置に一度に情報を配信し、集中管理が可能となる。
【０１６７】
図２１は、画像提供サーバから写真シール作成装置に送信される情報を示す図である。具体的には、写真シール作成装置からの各要求に対する返信として送信されるデータである。
【０１６８】
図左に示されるように、写真シール作成装置から送信されたデータが正常であった場合は、送信データが正常であるものとして要求されたデータを返す。また、図右に示されるように写真シール作成装置から送信されたデータが異常であった場合は、送信データが異常であるものとして、異常コードと異常メッセージとを返す。
【０１６９】
図２２は、図１１のステップＳ２１２で作成されるＩＤ情報の具体例を示す図である。
図に示されるように、ＩＤ情報は、写真セットＩＤと、選択写真１を閲覧するための閲覧用ＩＤ１と、選択写真２を閲覧するための閲覧用ＩＤ２とを含む。これは、図６のＳ４３の送信写真選択で、左右個別に写真選択を受け付けるため、それらに対応させるため、二つのＩＤを含ませている。
【０１７０】
図２３は、図６のメイン写真選択処理（Ｓ３２）でタブレットディスプレイ３１に表示される画面を示す図である。
【０１７１】
ここでは、撮影により得られた１０枚の写真が表示され、ユーザからメインの写真の選択を受付ける。また、画面の右上には選択の残り時間が表示される。
【０１７２】
図２４は、図６の編集処理（Ｓ３３）でタブレットディスプレイ３１に表示される画面を示す図である。
【０１７３】
ここでは、画面中央のＡ〜Ｄとして図２３で選択されたメイン写真が、Ｅ〜Ｊとしてその他の写真が表示される。ユーザは写真Ａ〜Ｊを選択した後に、その写真の編集を行なうことができる。ここでは、左のタブレットペンからの入力を受付ける左画面と右のペンからの入力を受付ける右画面のそれぞれで左右のユーザが別々に編集を行なうことができる。
【０１７４】
図２５は、図６の印刷待機機能選択処理（Ｓ３６）でタブレットディスプレイ３１に表示される画面を示す図である。
【０１７５】
ここでは、印刷時に写真画像をサーバを介して携帯端末に送る処理を行なう（図２５中の「携帯に送る」ボタンをタブレットペン３３で押す）か、写真の閲覧を行なう（図２５中の「プリ帳を見る」ボタンをタブレットペン３３で押す）かを選択させることができる。ここでも、左のタブレットペンからの入力を受付ける左画面と右のペンからの入力を受付ける右画面のそれぞれで写真送信機能または写真閲覧機能のどちらを実行するか、選択を受付ける。従って、それぞれの画面で、別の機能が動作することが可能である。また、別の機能であっても、同じ機能であっても、右と左で操作を終了させる制限時間は共通にすることにより、公平さを担保することができる。
【０１７６】
図２６は、図６の送信写真選択処理（Ｓ４３）でタブレットディスプレイ３１に表示される画面を示す図である。
【０１７７】
図を参照して、ユーザは撮影画像や編集後の画像から所望のものを選択し、それを送信することができる。また、左右のユーザで異なる写真を選択することができる。
【０１７８】
図２７は、図６のメールアドレス入力処理（Ｓ４４）でタブレットディスプレイ３１に表示される画面を示す図である。
【０１７９】
この画面を用いてユーザは、自己の携帯端末のアドレスを入力することができる。また、左右のユーザで同時に異なるメールアドレスを入力することができる。なお、自己の携帯端末以外の、例えばＥメールアドレスや友人の携帯端末のアドレス等、好みのメールアドレスの入力が可能である。図２７には携帯端末装置のキャリアをそれぞれ表すボタンが３つ表示されているが、このボタンを押すことにより、決まったドメイン名が＠マークの右側の表示部に表示され入力される。また、＠マークの左側に、すくなくとも１文字以上が入力されたかを判定して、これらボタンを表示しボタン入力を受けつけるようにしてもよい。これにより、誤入力を防ぐことができる。
【０１８０】
図２８は、図１２のメール送信処理（Ｓ２２７、Ｓ２３２）で送信されるメールの本文の例を示す図である。
【０１８１】
図に示されるように、メール本文には選択写真１または２にアクセスするためのＵＲＬが含まれる。ユーザは、このＵＲＬにアクセスすることで図２９のアクセス画面に移行し、選択写真を携帯端末に表示させることができる。
【０１８２】
図２９は、図１３のアクセス画面表示処理（Ｓ２４１）でユーザの携帯端末の画面に表示されるアクセス画面を示す図である。
【０１８３】
アクセス画面においてユーザは、「プリ写真はコチラ！」を携帯端末装置の操作部を操作して指定することで、写真の閲覧を選択することができる。また、「トップページ」を携帯端末装置の操作部を操作して指定することで、ユーザはトップページを表示させることが可能である。
【０１８４】
図３０は、図１３のメール送信処理（Ｓ２４８）で送信されるメールの本文を示す図である。
【０１８５】
図に示されるように、メール本文にはトップページを表示させるためのＵＲＬが含まれており、これを選択することでユーザはトップページを表示させることが可能である。
【０１８６】
図３１は、図１３のトップ画面表示処理（Ｓ２５０）でユーザの携帯端末の画面に表示されるトップページを示す図である。
【０１８７】
トップページにおいてユーザは、写真シール作成装置から送信された画像を閲覧すること、待受画面に使うことを選択することができる。また、ユーザはトップページから会員登録を行なったり、他のユーザの撮影した写真画像を閲覧することができる。
【０１８８】
図３２は、図１３のＩＤ入力画面表示処理（Ｓ２５２）でユーザの携帯端末の画面に表示される画面を示す図である。
【０１８９】
この画面において、ユーザはシールシートにプリントされたＩＤを入力することで、そのシールシートの写真の撮影時、編集時に得られた画像を携帯端末で見ることができる。また、過去に見た写真を再度見ることができる。なお、過去に見た写真を特定するために、撮影日時（図３２中の「０３／０８  １２：００」、直近の３月８日１２：００を示す、など）が表示されるが、この日時はシールシートにプリントされた日時と一致するように日時の管理が行なわれる。より具体的には、写真シール機から送信される写真情報（図１５）の撮影日時情報に基づいて、その日時の一部（受信する日時情報には年、秒の情報を含むが、この例ではそれらは表示されず一部）を表示させる。表示可能な範囲で全ての日時情報を表示してもよい。この表示は写真シール作成装置でのプレイ単位、つまり前述の写真セットごとに行なわれる。図３２では２セット分が表示されている。これにより、画像の特定に間違いが無くなる。
【０１９０】
図３３は、図１３の写真表示処理（Ｓ２４５）でユーザの携帯端末の画面に表示されるページを示す図である。携帯端末装置の操作部で操作によりスクロールさせ全体を見ることができる。
【０１９１】
図に示されるように、写真表示においては、ユーザが送信用に選択した画像が最上部に表示される。ユーザは、その画像を待受画面サイズにしたり、落書き（編集）したりすることができる。また、その下には、ユーザが選択しなかった画像であって写真シール作成装置から送信された画像が小さく表示される。これらの画像は、ユーザが会員登録すると、選択画像と同様に待受けサイズにしたり、落書きしたりすることが可能となる。
【０１９２】
また、画面の下には友達に写真を見せる機能（友達の携帯端末に送信する機能）や、会員登録をするための機能や、他の写真を見るための機能を選択するための表示がなされる。
【０１９３】
図３４は、図１３のエラー画面表示処理（Ｓ２４６）でユーザの携帯端末の画面に表示されるエラー画面を示す図である。
【０１９４】
この画面において、ユーザに入力されたＩＤが正しいものではないことを知らせることができる。
【０１９５】
図３５は、図６のステップＳ４１で作成されるＩＤを含む印刷データの具体例を示す図である。
【０１９６】
画像をサーバに送信する場合は、図３５に示されるように、その画像を得ることができるトップページＵＲＬを得るためのメールアドレス、およびトップページからのアクセスより手早く画像を得るため、左右のユーザそれぞれが選択した写真に対応させたそれぞれのＩＤがプリントされる。また、シールシートには、撮影日時がプリントされるが、それは図３２の画面で表示される日時と同一のものとされる。例えば、２回続けて写真シール作成装置を利用した場合、写真シールに印刷される日時が近いものとなる。また写真シール作成装置で写真を生成した日時と、サーバが写真画像を受信した日時は、ずれていることがある。このような場合、写真シールに印刷された写真と携帯端末で閲覧する写真との対応づけが難しいという問題があった。本実施の形態では、シールに印刷された日時と、携帯での写真閲覧時に表示される日時を合わせることで、対応づけが確実となり、ユーザにとって便利である。
【０１９７】
図３６は、図６のステップＳ３８で作成されるＩＤを含まない印刷データの具体例を示す図である。
【０１９８】
画像をサーバに送信しない場合には、トップページＵＲＬを得るためのメールアドレスや、ＩＤはプリントされない。このように、メールアドレスやＩＤをプリントしないことで、ユーザから無駄なアクセスがなされることを防ぐことができる。すなわち、写真が携帯で閲覧できないにもかかわらず、写真シールにＵＲＬなどを印刷すれば、利用者に期待感を持たせ、サーバへの無用なアクセスを招くことになる。ＵＲＬ等を一切印刷しないことで、このような問題を解決することができる。
【０１９９】
図２７に示す画面を表示して、図６のステップＳ４４で行なわれるメールアドレス入力処理において、メールアドレスの入力をキャンセルさせる処理について説明する。
【０２００】
ユーザのメールアドレスは文字数が長いこともあり、入力を始めたものの入力制限時間に間に合わない、また途中で入力が面倒になる等の問題を考慮して、メールアドレスの入力をユーザが途中でキャンセルできるようにしておくことが好ましい。
【０２０１】
具体的には、図２７のメールアドレスの入力画面に「キャンセル」ボタンを表示し、ユーザが「キャンセル」ボタンをタブレットペンでタッチすることにより、メールアドレスの入力をキャンセルし、次のステップ（図６ではステップＳ４５）へ進ませる。この場合、図１５に示す写真情報のメールアドレス１もしくはメールアドレス２は設定されず、その他の情報が設定された写真情報と写真画像がサーバへ送信される。
【０２０２】
このときサーバは、メールアドレスが妥当でないため、図１２のステップＳ２２４でＮＯ、もしくはステップＳ２２９でＮＯとなり、閲覧のためのメールは送信されない。しかし、閲覧用ＩＤは有効であるため、例えばユーザが写真シール作成装置をプレイした後に、シールに印刷されたＩＤを用いて携帯端末装置から閲覧要求があった場合、サーバは、その要求を受け付け（図１３のステップＳ２５３でＹＥＳ）、そのＩＤに対応する写真がサーバに登録されていれば（ステップＳ２４４でＹＥＳ）、ユーザの携帯端末装置に写真を表示させ、ユーザは写真画像の閲覧が可能となる。
【０２０３】
また、メールアドレスの入力をキャンセルしても、シールに印刷されたＩＤによる写真画像の閲覧が可能であることをユーザに知らせるために、上述の「キャンセル」ボタンがタッチされた場合に、シールに印刷したＩＤを用いた画像の閲覧方法をタブレットディスプレイに表示し、ユーザに案内するようにしてもよい。
【０２０４】
このように、メールアドレスの入力を途中で中断させることにより、キャンセルできずにいたずらに適当な入力がなされることを防止でき、またそのように適当に入力されたメールアドレスへの誤送信、通信の無駄を防ぐことが可能となる。
【０２０５】
［実施の形態における効果］
以上のように本実施の形態によると、ユーザが選択した写真の送信が正常にできないときは、ユーザにより選択されなかったその他の写真の送信が行なわれない（図７のステップＳ５４〜Ｓ６３）。すなわち、ユーザが選択した画像の送信の完了を待って、ユーザにより選択されなかったその他の写真を送ることができ、ユーザが選択していない写真だけが閲覧できるという状態を防ぐことができる。これにより、ユーザの不満、不快感、誤解を招く等の問題が生じることを防ぐことができる。
【０２０６】
また、それぞれのユーザが、それぞれの好みの写真を、各自の携帯電話で閲覧できるようにすることで、複数人で利用されることが多い写真シール作成装置の利用価値を高めることができる。
【０２０７】
また、サーバからのメンテナンス情報に基づき、写真の送信又は送信機能の提供を停止させることで、無駄な通信を防ぐことができ、ユーザへの不満も解消されるという効果がある。
【０２０８】
さらに、通信テストにより、電波状態に変化があった場合など、リアルタイムに、送信機能を自動で無効にできるという効果がある。そのような通信テストを、営業が始まるまでに行なうことで、営業の妨げとなることを防ぐことができる。また、電波状態に変化があった場合など、リアルタイムに、送信機能を自動で有効にできる。このような処理により、通信状態をより正確に把握でき、通信テストが正常であっても、写真の送信に失敗するなどの事態を可能な限り未然に防ぐことができる。
【０２０９】
［他の構成例］
［ＵＲＬについて］
なお、上記において図２０を参照して例示したサーバ情報のほか、現在のサーバのＵＲＬ情報を、サーバ情報に含めてもよい。この場合、ＵＲＬを送信することを示す所定の情報コード（図２０参照）を生成しておく。
【０２１０】
このようにすることで、例えば現在のサーバが諸般の事情により移転などしてＵＲＬに変更が生じた場合、現在のＵＲＬ情報として、移転先（変更後）のＵＲＬ情報がサーバ情報に含められ、このサーバ情報が各写真シール作成装置に送信される。これにより、各写真シール作成装置では、移転先（変更後）のＵＲＬ情報が取得され、図６に示すステップＳ４１においてシールシートに印刷されたり、図１２におけるステップＳ２２５やステップＳ２３０の処理に反映されたりする。
【０２１１】
したがって、現在のサーバのＵＲＬ情報に変更が生じた場合であっても、ユーザに提供されるサーバのＵＲＬ情報は、移転後（変更後）のＵＲＬ情報となり、例えばユーザが旧ＵＲＬにアクセスしてしまい所定のサービスを受けられないなどの混乱や不都合が生じることを確実に抑制することができる。これにより、ユーザに対して不快感を与えないようにすることができる。
【０２１２】
また、図３７に示すように、このサーバ情報は、ネットワークＮを介して接続された全ての写真シール作成装置に対して送信されるものなので、移転後（変更後）のＵＲＬ情報を、一台でも多くの写真シール作成装置に対して伝達し、一人でも多くのユーザに対して迅速に提供することができる。したがって、ユーザに対して不快感を与えないという効果をいっそう強めることができるとともに、サーバの移転等も問題なく簡単に行なうことができるという効果がある。
【０２１３】
［編集済み画像と未編集画像との枚数比率］
なお、上記においては、サーバ情報を各写真シール作成装置に送信して受信させ、その時その時のサーバの状況に応じて各写真シール作成装置の設定を変更させる場合を説明したが、サーバから各写真シール作成装置に送信する情報は、サーバ情報すなわちサーバに関する情報に限らず、写真シール作成装置の機能を設定する設定情報であってもよい。
【０２１４】
すなわち、図８のステップＳ８５での処理に代えて、図３８に示されるようにステップＳ８５’において、写真シール作成装置はサーバ情報を取得し、それを記憶する。さらにサーバから送られた設定情報に基づいて、装置の設定を行なう。
【０２１５】
以下では、設定情報の一例として、サーバに送信できる画像の全枚数のうち、編集済み画像（編集画像が入力された画像）の枚数と撮影画像（未編集画像）の枚数との比率を設定する枚数情報が、サーバから各写真シール作成装置に送信される場合を説明する。
【０２１６】
詳細には、例えば図６に示すステップＳ４５において、サーバに送信できる画像４枚のうち、１枚が編集済み画像（編集画像が入力された画像）で、残りの３枚が撮影画像（未編集画像）と設定されている場合、ユーザの中には、４枚とも編集済み画像を送信したいユーザもいれば、４枚中の何枚かを撮影画像（未編集画像）にしたいユーザもいる。
【０２１７】
このように、ユーザによってサーバに送信したい画像は様々であり、送信できる４枚の画像のうち、編集済み画像と未編集画像との枚数比率を完全に固定してしまうと、場合によってはユーザに不満を与えてしまうこともある。
【０２１８】
そこで、例えばサーバに送信できる写真の最大枚数が４枚の場合に、編集済み画像の枚数と撮影画像（未編集画像）の枚数との比率を、図３９に示すように枚数情報として生成する。この枚数情報は、図１７や図２０を参照して説明した情報コードと、編集済み画像の枚数と未編集画像の枚数との比率を具体的に表す比率情報と、それぞれの比率情報を特定する種別情報とを有する。そして、この枚数情報をサーバに格納しておくとともに、必要に応じて、所定の情報を各写真シール作成装置に送信する。
【０２１９】
このようにすることで、例えば最初のうちは、サーバに送信できる４枚の写真として、編集済み画像を１枚、撮影画像（未編集画像）を３枚、送信できるように設定しておき、そのうち、ユーザからのニーズや市場の動向などに応じて、サーバから各写真シール作成装置に対して、例えば図３９における、情報コード「０ｘ０１００」、および種別情報「００２」（さらに必要に応じて、これに対応する比率情報）を送信する。そして、この枚数情報を受信した写真シール作成装置における枚数比率の設定を、種別情報「００２」で表される枚数比率に変更する。
【０２２０】
枚数情報の設定が変更された写真シール作成装置においては、編集済み画像２枚、撮影画像２枚をサーバに対して送信できるようになる。
【０２２１】
これにより、サーバに送信できる写真のうち、編集済み画像と撮影画像との枚数の振り分けを、ユーザからのニーズや市場の動向などに応じて迅速に変更することができ、より多くのユーザを満足させることができる。さらに、このような枚数情報は、ネットワークＮを介して接続された全ての写真シール作成装置に対して送信することができるので、これら全ての写真シール作成装置における枚数情報についての設定変更を一括して容易に行なうことができる。
【０２２２】
なお、上記においては、枚数情報をあらかじめサーバに格納しておく場合を説明したが、これに限らず、枚数比率の設定は、サーバから送信される情報に関係なく、ユーザからのニーズや市場の動向などに応じて、写真シール作成装置の管理人が、それぞれが管理する写真シール作成装置において自在にできるようにしておいてもよい。
【０２２３】
このようにすることで、例えばユーザからのニーズや市場の動向などが地域や店舗によって微妙に異なるときに、各店舗においては、それぞれの店舗に合った枚数比率に設定することができるので、その分、ユーザからのニーズや市場の動向に細かく応えることができる。
【０２２４】
［何枚選択させるか］
また、上記とは異なる設定情報の一例として、サーバに送信できる画像の全枚数のうち、ユーザが選択できる枚数を設定する選択枚数情報を、サーバから各写真シール作成装置に送信することとしてもよい。
【０２２５】
図６に示す例では、ステップＳ４５においてサーバに送信できる写真の最大枚数が４枚とされる。その４枚のうち、ステップＳ４３において左右それぞれのユーザが選択できるのはそれぞれ１枚であり、残りの２枚は、ユーザに選択されなかった写真の中からランダムに選択される。
【０２２６】
例えばサーバに送信できる写真の最大枚数が４枚の場合に、あらかじめ、ユーザが選択する枚数とランダムで選択される枚数との組み合わせを選択枚数情報として、図４０に示すように生成しておく。この選択枚数情報は、図１７や図２０を参照して説明した情報コードと、ユーザが選択する枚数とランダムで選択される枚数とを具体的に表す比率情報と、それぞれの比率情報を特定する種別情報とを有する。そして、この選択枚数情報をサーバに格納しておくとともに、必要に応じて、所定の情報を各写真シール作成装置に送信する。
【０２２７】
このようにすることで、例えばサーバに送信できる写真の最大枚数が４枚である場合に、最初のうちは、上記のように左右それぞれのユーザから１枚ずつ写真が選択され、かつ、残りの２枚の写真がユーザに選択されなかった写真の中からランダムに選択されるような設定にしておく。そのうち、ユーザからのニーズや市場の動向などに基づいて、サーバから各写真シール作成装置に対して、例えば図４０における、情報コード「０ｘ０１０１」、および種別情報「００４」（さらに必要に応じて、これに対応する比率情報）を送信する。そして、この選択枚数情報を受信した写真シール作成装置における枚数比率の設定を、種別情報「００４」で表される枚数比率に変更する。
【０２２８】
選択枚数情報の設定が変更された写真シール作成装置においては、ユーザが選択した４枚の画像をサーバに対して送信できるようになる。
【０２２９】
これにより、ユーザが選択する写真の枚数とランダムで選択される写真の枚数との組み合わせを、ユーザからのニーズや市場の動向などに応じて迅速に変更することができ、より多くのユーザを満足させることができる。さらに、このような選択枚数情報は、ネットワークＮを介して接続された全ての写真シール作成装置に対して送信することができるので、これら全ての写真シール作成装置における選択枚数情報についての設定を一括して容易に行なうことができる。
【０２３０】
さらに、図３３で説明したように、ユーザが選択した画像と選択しなかった画像とを表示し、会員登録の有無によって利用できるサービスに制限を設けることで、ユーザの会員登録に対する意欲を高めることができる。
【０２３１】
なお、上記においては、選択枚数情報をあらかじめサーバに格納しておく場合を説明したが、これに限らず、選択枚数の比率は、サーバから送信される情報に関係なく、ユーザからのニーズや市場の動向などに応じて、写真シール作成装置の管理人が、それぞれが管理する写真シール作成装置において自在にできるようにしておいてもよい。
【０２３２】
このようにすることで、例えばユーザからのニーズや市場の動向などが地域や店舗によって微妙に異なるときに、各店舗においては、それぞれの店舗に合った選択枚数に設定することができるので、その分、ユーザからのニーズや市場の動向に細かく応えることができる。
【０２３３】
［画像サイズ変更］
また、上記とは異なる設定情報の一例として、サーバに送信できる画像のサイズを設定する画像サイズ情報が、サーバから各写真シール作成装置に送信される場合を説明する。
【０２３４】
詳細には、例えば図６に示す場合では、サーバに送信できる画像のサイズが２００＊１５０ドットであるとすると、サーバに送信できる画像のサイズを表す画像サイズ情報を、図４１に示すように生成しておく。この画像サイズ情報は、図１７や図２０を参照して説明した情報コードと、画像のサイズを具体的に表すサイズ情報と、それぞれのサイズ情報を特定する種別情報とを有する。そして、この画像サイズ情報をサーバに格納しておくとともに、必要に応じて、所定の情報を各写真シール作成装置に送信する。
【０２３５】
このようにすることで、例えば画像サイズが３２０＊２４０ドットの画像を、サーバに送信した場合には、ユーザは通常のサイズよりも大きい画像を得ることができ、画像の編集などを容易に行なうことができるとともに、大きく綺麗にプリントアウトされるので、サーバに送信された写真の用途の幅を広げることができる。また、例えば画像サイズが１６０＊１２０ドットの画像を、サーバに送信した場合には、ユーザは通常のサイズよりも小さい画像を得ることができ、例えば携帯電話の待ち受け画像以外に利用するなど、サーバに送信された写真の用途の幅を広げることができる。
【０２３６】
また、このように、サーバに送信する画像のサイズを各写真シール作成装置に送信して設定を変更することで、ユーザからのニーズや市場の動向などにより細かく対応することができる。さらに、このような画像サイズ情報は、ネットワークＮを介して接続された全ての写真シール作成装置に対して送信することができるので、これら全ての写真シール作成装置における画像サイズ情報についての設定を一括して容易に行なうことができる。
【０２３７】
さらに、上記においては、画像サイズ情報をあらかじめサーバに格納しておく場合を説明したが、これに限らず、画像サイズの設定は、ユーザからのニーズや市場の動向などに応じて、写真シール作成装置の管理人が、それぞれが管理する写真シール作成装置において自在にできるようにしておいてもよい。
【０２３８】
このようにすることで、例えばユーザからのニーズや市場の動向などが地域や店舗によって微妙に異なるときに、各店舗においては、それぞれの店舗に合った画像サイズに設定することができるので、その分、ユーザからのニーズや市場の動向に細かく応えることができる。
【０２３９】
［送信枚数変更］
また、上記とは異なる設定情報の一例として、サーバに送信できる画像の最大枚数を設定する最大送信枚数情報が、サーバから各写真シール作成装置に送信される場合を説明する。
【０２４０】
詳細には、例えば図６に示す場合では、サーバに送信できる画像の最大枚数が４枚であるとすると、サーバに送信できる画像の最大枚数を表す最大送信枚数情報を、図４２に示すように生成しておく。この最大送信枚数情報は、図１７や図２０を参照して説明した情報コードと、具体的に送信画像の最大枚数を表す送信枚数情報と、それぞれの送信枚数情報を特定する種別情報とを有する。そして、この最大送信枚数情報をサーバに格納しておくとともに、必要に応じて、所定の情報を各写真シール作成装置に送信する。
【０２４１】
このようにすることで、ユーザは必要に応じた枚数で、かつ、満足できる枚数をサーバに送信することができる。
【０２４２】
また、このように、サーバに送信する画像の最大枚数を各写真シール作成装置に送信して設定を変更することで、ユーザからのニーズや市場の動向などにより細かく対応することができる。さらに、このような最大送信枚数情報は、ネットワークＮを介して接続された全ての写真シール作成装置に対して送信することができるので、これら全ての写真シール作成装置における最大送信枚数情報についての設定を一括して容易に行なうことができる。
【０２４３】
さらに、上記においては、最大送信枚数情報をあらかじめサーバに格納しておく場合を説明したが、これに限らず、最大送信枚数の設定は、ユーザからのニーズや市場の動向などに応じて、写真シール作成装置の管理人が、それぞれが管理する写真シール作成装置において自在にできるようにしておいてもよい。
【０２４４】
このようにすることで、例えばユーザからのニーズや市場の動向などが地域や店舗によって微妙に異なるときに、各店舗においては、それぞれの店舗に合った最大送信枚数に設定することができるので、その分、ユーザからのニーズや市場の動向に細かく応えることができる。
【０２４５】
［画像サイズおよび送信枚数変更］
また、上記の画像サイズの変更と最大送信枚数の変更を併せて行なうようにしてもよい。
【０２４６】
詳細には、例えば図６に示す場合では、サーバに送信できる写真の最大枚数が４枚であり、このとき、送信される画像のサイズが２００＊１５０ドットで、合計の送信データ量がＡであるとすると、例えばサーバに送信できる画像のサイズおよび最大送信枚数を表す送信画像情報を、図４３に示すように生成しておく。この送信画像情報は、図１７や図２０を参照して説明した情報コードと、画像サイズと最大送信枚数との組み合わせを具体的に表す画像情報と、それぞれの画像情報を特定する種別情報とを有する。そして、この送信画像情報をサーバに格納しておくとともに、必要に応じて、所定の情報を各写真シール作成装置に送信する。ここで、図４４（ａ）に示すように、送信枚数が２枚の場合には、送信枚数が減る分、画像のサイズを３２０＊２４０ドットと大きくすることができ、このときの合計の送信データ量はＡ以下になるようにされている。また、送信枚数が最も多い８枚の場合（図４４（ｃ））には、枚数が増える分、画像のサイズが１６０＊１２０ドットと小さくなってしまうが、このときの合計の送信データ量はＡ以下になるようにされている。
【０２４７】
また、例えば図６におけるステップＳ４３の直前の処理として、ユーザに対して、図４５に示すような選択画面を表示し、ユーザに所望の画像サイズと最大送信枚数との組み合わせを選択させるようにしてもよい。
【０２４８】
ここで、所定の画像サイズおよび最大送信枚数が選択されると、写真シール作成装置は、その組み合わせに合った設定情報を取得すべくサーバに対して前記設定情報を要求し、サーバは要求があった設定情報を写真シール作成装置に対して送信する。写真シール作成装置は、送信された設定情報を受信、保存し、受信した設定情報に基づいて設定変更をする。
【０２４９】
このようにすることで、例えば写真シール作成装置からサーバに対して、画像サイズが３２０＊２４０ドットの画像を２枚送信した場合には、ユーザは通常のサイズよりも大きい画像を得ることができるので、画像の編集などを容易に行なうことができるとともに、大きく綺麗にプリントアウトされるので、サーバに送信された写真の用途の幅を広げることができる。また、例えば画像サイズが１６０＊１２０ドットの画像を８枚、サーバに送信した場合には、ユーザは通常のサイズよりも小さい画像ではあるが、多くの種類の画像を得ることができる。このようにユーザに対して豊富な種類の画像を提供することで、少ない種類の画像に対してすぐに飽きてしまうユーザに対して、満足感を与えることができる。
【０２５０】
また、このように、サーバに送信する画像のサイズおよび枚数をユーザに選択させることで、ユーザからのニーズや市場の動向などにより細かく対応することができる。さらに、このような送信画像情報は、ネットワークＮを介して接続された全ての写真シール作成装置に対して送信することができるので、これら全ての写真シール作成装置における送信画像情報についての設定を一括して容易に行なうことができる。
【０２５１】
なお、送信画像情報は上記のものに限らず、例えば合計の送信データ量がＡよりも小さくなるのであれば、送信写真枚数が６枚であってもよい。さらに、合計の送信データ量がＡよりも小さくなるのであれば、送信する全ての画像のサイズを揃えなくてもよい。
【０２５２】
さらに、上記においては、送信画像情報をあらかじめサーバに格納しておく場合を説明したが、これに限らず、送信画像の設定は、ユーザからのニーズや市場の動向などに応じて、写真シール作成装置の管理人が、それぞれが管理する写真シール作成装置において自在にできるようにしておいてもよい。
【０２５３】
このようにすることで、例えばユーザからのニーズや市場の動向などが地域や店舗によって微妙に異なるときに、各店舗においては、それぞれの店舗に合った画像サイズおよび最大送信枚数に設定することができるので、その分、ユーザからのニーズや市場の動向に細かく応えることができる。
【０２５４】
また、図４６に示される画面を表示し、図３９に示した編集済み画像と撮影画像との枚数をユーザに選択させることとしてもよい。
【０２５５】
［シリアルＮＯ．］
また、上記の例では、サーバから写真シール作成装置の設定情報を送信し、その設定情報を受信した写真シール作成装置における設定を一括して変更できる場合を説明したが、これに限らず、例えば各写真シール作成装置に、互いの装置を識別するための識別情報をあらかじめ付与しておき、所定の写真シール作成装置の設定だけを変更するようにしてもよい。
【０２５６】
詳細には、所定の写真シール作成装置の設定だけを変更する際に、図４７に示すように、サーバから各写真シール作成装置に対して、所定の写真シール作成装置を特定するための識別情報、および変更しようとする設定情報を送信する。図４７の例では、識別情報は「００２」である。
【０２５７】
各写真シール作成装置は、前記識別情報および設定情報を受信、保存し、自己にあらかじめ付与されている識別情報と受信した識別情報とを照合する。
【０２５８】
照合した結果、自己にあらかじめ付与されている識別情報と受信した識別情報とが異なる場合には、現在の設定を、受信した設定情報に基づく設定に変更しないようにし、自己にあらかじめ付与されている識別情報と受信した識別情報とが一致する場合には、現在の設定を、受信した設定情報に基づく設定に変更する。
【０２５９】
このように、サーバから各写真シール作成装置に対して、設定情報とともに識別情報を送信することで、前記識別情報に対応する所定の写真シール作成装置の設定のみを変更することができる。また、この技術を応用すれば、例えば互いの機種を識別する、すなわち図４７における写真シール作成装置１ａ〜１ｃ（機種Ａ）と、写真シール作成装置２ａ、２ｂ（機種Ｂ）とを識別するための第２の識別情報を、あらかじめ機種ごとに付与しておき、所定の機種の設定だけを変更する際には、サーバから各写真シール作成装置に対して、前記所定の機種を特定するための第２の識別情報、および変更しようとする設定情報を送信する。
【０２６０】
このようにすることで、第２の識別情報で特定される機種と同機種であれば、その設定を一括して変更することができ、他機種であれば、その設定は変更されないので、機種ごとに異なる設定に変更をすることを容易かつ迅速に行なうことができる。
【０２６１】
［時間］
また、上記においてはサーバから送信される情報が、写真シール作成装置の設定情報である場合を説明したが、これに限らず、例えばサーバから各写真シール作成装置に対して現在時刻や曜日の情報が送信されてもよい。
【０２６２】
このようにすることで、例えば従来の装置であれば、各店舗の管理者がテストモードなどにおいて、現在時刻や曜日を設定するという作業が必要であるが、上記のように、サーバから各写真シール作成装置に対して現在時刻や曜日の情報が送信され、その情報を各写真シール作成装置が受信、設定することで、各店舗の管理者が現在時刻や曜日を設定するという作業を無くすことができ、管理者の負担を軽減することができる。すなわち、テストモードを不要にすることができる。
【０２６３】
また、全ての写真シール作成装置において現在時刻および曜日を同一に揃えることができ、このように、全ての写真シール作成装置において現在時刻および曜日が統一されることで、例えば図１０におけるステップＳ１０１、ステップＳ１０２の処理を経て、ステップＳ１０３にてサーバ停止中に設定する際などには、全ての写真シール作成装置においてサーバ停止中の設定を行なうタイミングを同時にすることができる。したがって、例えば所定の装置だけが現在時刻や曜日設定のミスなどでサーバ停止中の設定が行なわれず、不具合が発生するということを防止することができる。
【０２６４】
［通信テスト処理について］
なお、上記においては、図５のステップＳ１６で処理される図８の通信テスト処理において、サーバが停止中の場合（Ｓ７１でＹＥＳ）は、そのまま通信テスト処理を抜け、図５におけるステップＳ１４の処理に戻るが、これに限らず、例えば図１０におけるステップＳ１０４で、メンテナンス情報に基づいて送信設定が無効にされた状態であっても、図５におけるステップＳ１５の判断時に通信テストを行なわせるように設定しておいてもよい。すなわち、送信が無効に設定されている場合であっても、随時、送信テストを実施するようにし、メンテナンス情報の再チェックを行なえるようにしてもよい。
【０２６５】
このようにすることで、例えば、メンテナンス情報を誤設定した場合や、予定よりも早期にメンテナンスが完了した場合に、随時、送信設定を有効に設定することができる。
【０２６６】
例えば、図４８に示されるように、ステップＳ７１でＹＥＳであっても、所定のタイミングであれば（Ｓ８９でＹＥＳ）、ステップＳ７２へ進み、通信テストを行なうなどである。
【０２６７】
［その他］
なお、写真シール作成装置においては、１回の撮影で１枚の写真画像を生成する場合もあれば、複数回の撮影で１枚の写真画像を生成する場合もある。また、これら撮影によって得られた写真画像に編集を行ないそれぞれ編集された写真画像を生成する場合もある。さらに、カメラなどの撮影機能を備えない写真シール作成装置を構成することも可能である。この場合はカメラによる撮影に代えて、記憶媒体や通信回線から写真画像を取込む。このように写真シール作成装置において色々な方法で生成される写真画像を含む意味において生成手段としている。
【０２６８】
また、上述の写真シール作成装置のコンピュータ装置１００の制御方法を、プログラムとして提供することもできる。このようなプログラムは、コンピュータに付属するフレキシブルディスク、ＣＤ−ＲＯＭ、ＤＶＤ−ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、電気通信回線や衛星通信回線などのネットワークを通じて、プログラムを提供することもできる。
【０２６９】
提供されるプログラム製品は、ハードディスクなどのプログラム格納部にインストールされて実行される。なお、プログラム製品は、プログラム自体と、プログラムが記録された記録媒体とを含む。
【０２７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２７１】
１ａ〜１ｃ，２ａ，２ｂ  写真シール作成装置、３１  タブレットディスプレイ、４０  通信部、４１  ＰＨＳユニット、４２  ＰＨＳカード、８５  プリンタ、１００ａ  第１コンピュータ装置、１００ｂ  第２コンピュータ装置、１０２ａ  記憶部、１１０  制御部、２０１  画像提供サーバ、２０１ａ  通信部、２０１ｂ  制御部、２０１ｃ  記憶部、２０５ａ〜２０５ｃ  携帯端末装置、２０７  通信部、２０９  操作部、２１１  表示部、２１３  記憶部。
【図１】
2014017016.tif 000003
【図２】
2014017016.tif 000004
【図３】
2014017016.tif 000005
【図４】
2014017016.tif 000006
【図５】
2014017016.tif 000007
【図６】
2014017016.tif 000008
【図７】
2014017016.tif 000009
【図８】
2014017016.tif 000010
【図９】
2014017016.tif 000011
【図１０】
2014017016.tif 000012
【図１１】
2014017016.tif 000013
【図１２】
2014017016.tif 000014
【図１３】
2014017016.tif 000015
【図１４】
2014017016.tif 000016
【図１５】
2014017016.tif 000017
【図１６】
2014017016.tif 000018
【図１７】
2014017016.tif 000019
【図１８】
2014017016.tif 000020
【図１９】
2014017016.tif 000021
【図２０】
2014017016.tif 000022
【図２１】
2014017016.tif 000023
【図２２】
2014017016.tif 000024
【図２３】
2014017016.tif 000025
【図２４】
2014017016.tif 000026
【図２５】
2014017016.tif 000027
【図２６】
2014017016.tif 000028
【図２７】
2014017016.tif 000029
【図２８】
2014017016.tif 000030
【図２９】
2014017016.tif 000031
【図３０】
2014017016.tif 000032
【図３１】
2014017016.tif 000033
【図３２】
2014017016.tif 000034
【図３３】
2014017016.tif 000035
【図３４】
2014017016.tif 000036
【図３５】
2014017016.tif 000037
【図３６】
2014017016.tif 000038
【図３７】
2014017016.tif 000039
【図３８】
2014017016.tif 000040
【図３９】
2014017016.tif 000041
【図４０】
2014017016.tif 000042
【図４１】
2014017016.tif 000043
【図４２】
2014017016.tif 000044
【図４３】
2014017016.tif 000045
【図４４】
2014017016.tif 000046
【図４５】
2014017016.tif 000047
【図４６】
2014017016.tif 000048
【図４７】
2014017016.tif 000049
【図４８】
2014017016.tif 000050
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
撮影手段と、
前記撮影手段での撮影で得られた撮影画像をサーバに送信する送信手段と、
ユーザからの前記送信手段による送信機能を利用するか否かの選択入力を受け付ける選択手段と、
前記選択手段により前記送信機能を利用する選択入力を受け付けた場合には、携帯端末から前記サーバにアクセスして前記撮影画像のデータを取得するために必要な情報を前記撮影画像とともに印刷媒体に印刷し、前記選択手段により前記送信機能を利用する選択入力を受け付けなかった場合には、前記撮影画像を前記印刷媒体に印刷する印刷手段とを含む、写真シール作成装置。
【請求項２】
前記選択手段により前記送信機能を利用する選択入力を受け付けた場合には、前記印刷手段により前記撮影画像を前記印刷媒体に印刷する印刷処理中に、前記ユーザから、前記撮影手段での撮影で得られた複数の撮影画像の中から撮影画像の選択を受け付けることが可能な写真受付手段と、
前記ユーザから、前記サーバから前記携帯端末に対して情報を送信するために利用するメールアドレスの入力を受け付けることが可能な入力受付手段とをさらに備える、請求項１記載の写真シール作成装置。
【請求項３】
前記ユーザからの指示あるいは所定期間の経過に従って前記入力受付手段による前記メールアドレスの入力を中止する入力中止手段と、
前記入力中止手段により前記メールアドレスの入力が中止された場合には、前記サーバに送信される前記撮影画像のデータを前記写真シールに印刷された前記情報に含まれる識別情報を利用して前記携帯端末から閲覧するための閲覧方法に関する案内情報を前記ユーザに通知する通知手段とをさらに備える、請求項２記載の写真シール作成装置。
【請求項４】
前記送信手段は、前記写真受付手段により前記複数の撮影画像の中から選択を受け付けた撮影画像を含む所定数の撮影画像のデータを送信するデータ送信手段をさらに含む、請求項２または３に記載の写真シール作成装置。
【請求項５】
写真シール作成装置と、
携帯端末からアクセス可能なサーバとを備え、
前記写真シール作成装置は、
撮影手段と、
前記撮影手段での撮影で得られた撮影画像を前記サーバに送信する送信手段と、
ユーザからの前記送信手段による送信機能を利用するか否かの選択入力を受け付ける選択手段と、
前記選択手段により前記送信機能を利用する選択入力を受け付けた場合には、前記携帯端末から前記サーバにアクセスして前記撮影画像のデータを取得するために必要な情報を前記撮影画像とともに印刷媒体に印刷し、前記選択手段により前記送信機能を利用する選択入力を受け付けなかった場合には、前記撮影画像を前記印刷媒体に印刷する印刷手段と、
前記選択手段により前記送信機能を利用する選択入力を受け付けた場合には、前記印刷手段により前記撮影画像を前記印刷媒体に印刷する印刷処理中に、前記ユーザから、前記撮影手段での撮影で得られた複数の撮影画像の中から撮影画像の選択を受け付けることが可能な写真受付手段と、
前記ユーザから、前記サーバから前記携帯端末に対して情報を送信するために利用するメールアドレスの入力を受け付けることが可能な入力受付手段とを含み、
前記送信手段は、前記写真受付手段により前記複数の撮影画像の中から選択を受け付けた撮影画像を含む所定数の撮影画像のデータを前記入力受付手段で入力を受け付けたメールアドレスと関連付けて送信するデータ送信手段とを有し、
前記サーバは、
前記写真シール作成装置から送信され、受信した撮影画像が前記写真受付手段により選択された撮影画像であるか否かを判定する判定手段と、
前記判定手段による判定結果に基づいて選択された撮影画像であると判断した場合には、前記撮影画像にアクセスするためのアクセス情報を作成するアクセス情報作成手段と、
前記メールアドレスに対して、前記アクセス情報作成手段により作成されたアクセス情報を含むメールを送信するメール送信手段とを含む、写真シール作成システム。
【請求項６】
前記写真受付手段は、複数のユーザからそれぞれ撮影画像の選択を受け付け、
前記入力受付手段は、前記複数のユーザからそれぞれメールアドレスの入力を受け付け、
前記アクセス情報作成手段は、前記複数のユーザがそれぞれ選択した撮影画像にアクセスするための複数のアクセス情報を作成し、
前記メール送信手段は、前記複数のユーザから入力されたメールアドレスそれぞれに対して、前記アクセス情報作成手段により作成された対応するアクセス情報を含むメールを送信する、請求項５記載の写真シール作成システム。
【請求項７】
前記アクセス情報作成手段は、前記判定手段による判定結果に基づいて選択された撮影画像でないと判断した場合には、前記撮影画像にアクセスするための前記アクセス情報を作成せず、
前記メール送信手段は、前記メールアドレスに対して、前記メールを送信しない、請求項５または６記載の写真シール作成システム。
【手続補正３】
【補正対象書類名】明細書
【補正対象項目名】０００１
【補正方法】変更
【補正の内容】
【０００１】
この発明は写真シール作成装置および写真シール作成システムに関する。
【手続補正４】
【補正対象書類名】明細書
【補正対象項目名】００１２
【補正方法】変更
【補正の内容】
【００１２】
そこで本発明では、無駄な通信をさせずにサービスを提供することができる写真シール作成装置および写真シール作成システムを提供することを目的としている。